(57)【要約】【課題】ユーザの動作が継続する運動において、運動を継続しているユーザに対して、ユーザの動作の評価結果を提示したい。【解決手段】自動二輪車１はライディング評価装置１０を備える。ライディング評価装置１０の評価部２０２は、各種のセンサが計測した計測情報に基づき、自動二輪車１を操縦するライダーの操縦に対するライディング評価を行う。評価部２０２は、複数の評価項目について、１つのライディング評価を行う。評価部２０２は、ライディング評価に対応するオノマトペを特定する。オノマトペ取得部３００は、評価部２０２が決定したオノマトペに対応するデータを取得する。取得されたオノマトペは、ライダーが装着しているヘルメットに設けられたスピーカ５０１やディスプレイ５０２において提示される。
2017099214.tif 000002
【特許請求の範囲】
【請求項１】
計測装置によって計測されたユーザの動作に起因する事象についての計測結果が入力される計測結果入力部と、
前記計測結果入力部が入力した前記計測結果に基づいて行われた、前記ユーザの動作の評価に対応したオノマトペを示すオノマトペデータを取得するオノマトペデータ取得部と、
前記オノマトペデータ取得部が取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させるオノマトペ出力部と、
を備えるユーザ動作の評価結果に関するオノマトペ提示装置。
【請求項２】
請求項１に記載のユーザ動作の評価結果に関するオノマトペ提示装置であって、
前記オノマトペデータ取得部は、複数の評価項目に対して１つの評価を行うことによって得られた、前記複数の評価項目に対する１つのオノマトペを示すオノマトペデータを取得する、ユーザ動作の評価結果に関するオノマトペ提示装置。
【請求項３】
請求項１または請求項２に記載のユーザ動作の評価結果に関するオノマトペ提示装置であって、
前記オノマトペデータ取得部は、１つの評価項目に関して多段階の評価を行うことによって得られた、前記１つの評価項目に関する評価を多段階で表したオノマトペを示すオノマトペデータを取得する、ユーザ動作の評価結果に関するオノマトペ提示装置。
【請求項４】
請求項１ないし請求項３のいずれかに記載のユーザ動作の評価結果に関するオノマトペ提示装置であって、
前記オノマトペデータ取得部が取得するオノマトペデータは、前記計測結果あるいは前記計測結果に基づき算出された値を所定の閾値と比較することにより前記ユーザの動作の評価として得られる、ユーザ動作の評価結果に関するオノマトペ提示装置。
【請求項５】
請求項１ないし請求項４のいずれかに記載のユーザ動作の評価結果に関するオノマトペ提示装置であって、
前記計測結果は、前記ユーザによって操作された操作対象物の状態を計測した情報を含む、ユーザ動作の評価結果に関するオノマトペ提示装置。
【請求項６】
請求項１ないし請求項５のいずれかに記載のユーザ動作の評価結果に関するオノマトペ提示装置であって、さらに、
前記計測装置によって計測されたユーザの動作に起因する事象についての計測結果に基づいて前記ユーザの動作の評価を行う評価部、
を備えるユーザ動作の評価結果に関するオノマトペ提示装置。
【請求項７】
計測装置によって計測されたユーザの動作に起因する事象についての計測結果を入力する計測結果入力処理、
前記計測結果入力処理で入力された前記計測結果に基づいて行われた前記ユーザの動作の評価に対応したオノマトペを示すオノマトペデータを取得するオノマトペデータ取得処理、および
前記オノマトペデータ取得処理で取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させるオノマトペ出力処理、
をコンピュータに実行させるユーザ動作の評価結果に関するオノマトペ提示プログラム。
【請求項８】
請求項７に記載のユーザ動作の評価結果に関するオノマトペ提示プログラムであって、
前記オノマトペデータ取得処理は、複数の評価項目に対して１つの評価を行うことによって得られた、前記複数の評価項目に対する１つのオノマトペを示すオノマトペデータを取得する、ユーザ動作の評価結果に関するオノマトペ提示プログラム。
【請求項９】
請求項７または請求項８に記載のユーザ動作の評価結果に関するオノマトペ提示プログラムであって、
前記オノマトペデータ取得処理は、１つの評価項目に関して多段階の評価を行うことによって得られた、前記１つの評価項目に関する評価を多段階で表したオノマトペを示すオノマトペデータを取得する、ユーザ動作の評価結果に関するオノマトペ提示プログラム。
【請求項１０】
請求項７ないし請求項９のいずれかに記載のユーザ動作の評価結果に関するオノマトペ提示プログラムであって、
前記オノマトペデータ取得処理が取得するオノマトペデータは、前記計測結果あるいは前記計測結果に基づき算出された値を所定の閾値と比較することにより前記ユーザの動作の評価として得られる、ユーザ動作の評価結果に関するオノマトペ提示プログラム。
【請求項１１】
請求項７ないし請求項１０のいずれかに記載のユーザ動作の評価結果に関するオノマトペ提示プログラムであって、
前記計測結果は、前記ユーザによって操作された操作対象物の状態を計測した情報を含む、ユーザ動作の評価結果に関するオノマトペ提示プログラム。
【請求項１２】
請求項７ないし請求項１１のいずれかに記載のユーザ動作の評価結果に関するオノマトペ提示プログラムであって、さらに、
前記計測装置によって計測されたユーザの動作に起因する事象についての計測結果に基づいて前記ユーザの動作の評価を行う評価処理、
をコンピュータに実行させるユーザ動作の評価結果に関するオノマトペ提示プログラム。
【請求項１３】
計測装置によって計測されたユーザの動作に起因する事象についての計測結果を入力する計測結果入力工程と、
前記計測結果入力工程で入力された前記計測結果に基づいて行われた前記ユーザの動作の評価に対応したオノマトペを示すオノマトペデータを取得するオノマトペデータ取得工程と、
前記オノマトペデータ取得工程で取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させるオノマトペ出力工程と、
を備えるユーザ動作の評価結果に関するオノマトペ提示方法。
【請求項１４】
請求項１３に記載のユーザ動作の評価結果に関するオノマトペ提示方法であって、
前記オノマトペデータ取得工程は、複数の評価項目に対して１つの評価を行うことによって得られた、前記複数の評価項目に対する１つのオノマトペを示すオノマトペデータを取得する、ユーザ動作の評価結果に関するオノマトペ提示方法。
【請求項１５】
請求項１３または請求項１４に記載のユーザ動作の評価結果に関するオノマトペ提示方法であって、
前記オノマトペデータ取得工程は、１つの評価項目に関して多段階の評価を行うことによって得られた、前記１つの評価項目に関する評価を多段階で表したオノマトペを示すオノマトペデータを取得する、ユーザ動作の評価結果に関するオノマトペ提示方法。
【発明の詳細な説明】
【技術分野】
【０００１】
本発明は、ユーザの動作に対する評価結果をユーザに提示する技術に関する。詳しくは、ユーザの動作に対する評価結果をオノマトペを用いてユーザに提示する技術に関する。
【背景技術】
【０００２】
スポーツ、乗り物の操縦、機器の操作などは、人間の運動、動作によってもたらされる活動である。これらの活動をする上で、動作をした人間は、自身の動作の内容に関心を持っている。動作をした人間は、自身の動作がどのような結果をもたらすかについて関心を持っている。人間は、自身の動作の結果に関する評価を得ることで、自身の活動内容を把握することができる。【０００３】
スポーツ、乗り物の操縦、機器の操作などは、人間の運動、動作によってもたらされる活動である。これらの活動を人間が希望するように遂行するには、トレーニングが有効である。トレーニングを行い、成功動作あるいは失敗動作を繰り返すことで、人間は、自身の運動、動作に修正を加えながら、活動内容を改善していくことができる。【０００４】
トレーニングは、上記のように人間自身の感覚を頼りにすることが多いが、それ以外にも、コンピュータ、センサその他の機器を利用した装置、システムによりトレーニングを補助することが提案されている。【０００５】
下記特許文献１（特表２００５−５２４０４８号公報）は、スポーツトレーニングの評価を行うシステムに関する。使用者は、トレーニングシステム用の導電性繊維体のウェアを装着する。システムは、導電性繊維体における電気インピーダンスの変動に応じて、使用者にフィードバック指示を出力する。フィードバック指示として音声信号が出力される。あるいはフィードバック指示として使用者が感知できる振動信号または物理的刺激信号が出力される。あるいは、フィードバック指示としてセンサの色変化が出力される。使用者が装着する器具は、導電性の繊維体であるため、選手の動きに密接に適合できる。【０００６】
下記特許文献２（特開２０１４−１０８７５０号公報）は、自動二輪車を操縦しているライダーの技量を判定するライディング技量判定装置に関する。ライダーのライディング技量を評価するライディング技量評価部は、ライディング技量の安定性得点、ライディング技量の旋回性得点、総合特性得点をそれぞれ算出する。そして、算出された各種得点を補正部に出力する。総合得点調整部は、補正条件情報と各種得点とに基づいて、総合特性得点を補正する。ライディング技量の安定性得点とライディング技量の旋回性得点とを、走行する道路の条件に応じて補正するので、道路の種類に応じてライダーのライディング技量を判定することができる。
【先行技術文献】
【特許文献】
【０００７】
【特許文献１】特表２００５−５２４０４８号公報
【特許文献２】特開２０１４−１０８７５０号公報
【発明の概要】
【発明が解決しようとする課題】
【０００８】
１回、１回、動作が終了するスポーツ、あるいは１回の動作時間が短い作業であれば、動作の後にゆっくり動作の評価を確認することができる。例えば、１回、１回動作が終了するスポーツであれば、１回の動作をカメラやビデオで撮影し、撮影した画像を動作の後にゆっくり確認することができる。しかし、動作が継続するスポーツにおいては、トレーニングを継続しつつ動作の評価を確認することができれば利便性が高い。あるいは、機器の操作を継続して行う場合に、機器の操作を継続しつつ、動作の評価を確認することができれば利便性が高い。【０００９】
一般的にも、１回、１回、動作が終了する運動、あるいは１回の動作時間が短い運動であれば、動作の後にゆっくり動作の評価を確認することができる。しかし、動作が継続する運動においては、動作を継続しつつ動作の評価を確認することができれば利便性が高い。【００１０】
本発明は、動作をする者が動作を継続しながら、動作の評価を確認することができる仕組みを提供することを課題とする。
本発明は、また、継続する動作に関するトレーニングにおいて、トレーニングをする者が動作を継続しながらその動作の評価を確認することができる仕組みを提供することを課題とする。
【課題を解決するための手段および発明の効果】
【００１１】
（構成１）
本発明の実施の形態の１つであるユーザ動作の評価結果に関するオノマトペ提示装置は、計測結果入力部、オノマトペデータ取得部、および、オノマトペ出力部を備える。
前記計測結果入力部は、計測装置によって計測されたユーザの動作に起因する事象についての計測結果を入力する。
前記オノマトペデータ取得部は、前記計測結果入力部が入力した前記計測結果に基づいて行われた、前記ユーザの動作の評価に対応したオノマトペを示すオノマトペデータを取得する。
前記オノマトペ出力部は、前記オノマトペデータ取得部が取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させる。
【００１２】
本実施の形態のユーザ動作の評価結果に関するオノマトペ提示装置は、動作を行うユーザが動作を継続している状態において、ユーザに対して動作の評価を提示することが可能である。ユーザは、動作を行いながら評価内容を把握することができる。ユーザは評価内容を把握しつつ、さらに動作を継続させることが可能である。
【００１３】
(構成２)
上記構成１のユーザ動作の評価結果に関するオノマトペ提示装置において、前記オノマトペデータ取得部は、複数の評価項目に対して１つの評価を行うことによって得られた、前記複数の評価項目に対する１つのオノマトペを示すオノマトペデータを取得してもよい。
【００１４】
オノマトペを用いなければ、複数の評価項目に関する評価を文字などで説明する必要があり、ユーザはその内容を把握するのに時間を要する。あるいは、何らかの動作を継続しつつ、長い説明を読み理解することは困難である。この点、オノマトペであれば、複数の評価項目に関する評価を簡潔に表しているので、ユーザは、評価結果を把握し易い。
【００１５】
（構成３）
上記構成１または２のユーザ動作の評価結果に関するオノマトペ提示装置において、前記オノマトペデータ取得部は、１つの評価項目に関して多段階の評価を行うことによって得られた、前記１つの評価項目に関する評価を多段階で表したオノマトペを示すオノマトペデータを取得してもよい。
【００１６】
オノマトペを用いなければ、ある評価項目に関して多段階の評価内容を表現するためには、文字などを利用して説明する必要があり、ユーザはその内容を把握するのに時間を要する。あるいは、何らかの動作を継続しつつ、長い説明を読み理解することは困難である。この点、オノマトペであれば、ある評価項目に関して多段階の評価を簡潔に表すことができるので、ユーザは、評価結果を把握し易い。
【００１７】
（構成４）
上記構成１ないし３のいずれかのユーザ動作の評価結果に関するオノマトペ提示装置において、前記オノマトペデータ取得部が取得するオノマトペデータは、前記計測結果あるいは前記計測結果に基づき算出された値を所定の閾値と比較することにより前記ユーザの動作の評価として得られるものとしてもよい。
【００１８】
計測結果等を所定の閾値と比較することにより、リアルタイムでユーザの運動の評価結果を得ることができる。
【００１９】
（構成５）
上記構成１ないし４のいずれかのユーザ動作の評価結果に関するオノマトペ提示装置において、前記計測結果は、前記ユーザによって操作された操作対象物の状態を計測した情報を含んでもよい。
【００２０】
ユーザが操作した対象物の状態に基づいて、ユーザの動作を評価することができる。
【００２１】
（構成６）
上記構成１ないし５のいずれかのユーザ動作の評価結果に関するオノマトペ提示装置は、さらに、前記計測装置によって計測されたユーザの動作に起因する事象についての計測結果に基づいて前記ユーザの動作の評価を行う評価部、を備えてもよい。
【００２２】
オノマトペ提示装置において動作の評価を実行することができる。
【００２３】
（構成７）
本発明の実施の形態の一つであるユーザ動作の評価結果に関するオノマトペ提示プログラムは、計測結果入力処理、オノマトペデータ取得処理、および、オノマトペ出力処理をコンピュータに実行させる。
計測結果入力処理は、計測装置によって計測されたユーザの動作に起因する事象についての計測結果を入力する。
オノマトペデータ取得処理は、前記計測結果入力処理で入力された前記計測結果に基づいて行われた前記ユーザの動作の評価に対応したオノマトペを示すオノマトペデータを取得する。
オノマトペ出力処理は、前記オノマトペデータ取得処理で取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させる。
【００２４】
本実施の形態のユーザ動作の評価結果に関するオノマトペ提示プログラムは、動作を行うユーザが動作を継続している状態において、ユーザに対して動作の評価を提示することが可能である。ユーザは、評価内容をフィードバックさせながら、さらに動作を継続させることが可能である。
【００２５】
（構成８）
上記構成７のユーザ動作の評価結果に関するオノマトペ提示プログラムにおいて、前記オノマトペデータ取得処理は、複数の評価項目に対して１つの評価を行うことによって得られた、前記複数の評価項目に対する１つのオノマトペを示すオノマトペデータを取得する処理であってもよい。
【００２６】
オノマトペを用いなければ、複数の評価項目に関する評価を文字などで説明する必要があり、ユーザはその内容を把握するのに時間を要する。あるいは、何らかの動作を継続しつつ、長い説明を読み理解することは困難である。この点、オノマトペであれば、複数の評価項目に関する評価を簡潔に表しているので、ユーザは、評価結果を把握し易い。
【００２７】
（構成９）
上記構成７または８のユーザ動作の評価結果に関するオノマトペ提示プログラムにおいて、前記オノマトペデータ取得処理は、１つの評価項目に関して多段階の評価を行うことによって得られた、前記１つの評価項目に関する評価を多段階で表したオノマトペを示すオノマトペデータを取得する処理であってもよい。
【００２８】
オノマトペを用いなければ、ある評価項目に関して多段階の評価内容を表現するためには、文字などを利用して説明する必要があり、ユーザはその内容を把握するのに時間を要する。あるいは、何らかの動作を継続しつつ、長い説明を読み理解することは困難である。この点、オノマトペであれば、ある評価項目に関して多段階の評価を簡潔に表すことができるので、ユーザは、評価結果を把握し易い。
【００２９】
（構成１０）
上記構成７ないし９のいずれかのユーザ動作の評価結果に関するオノマトペ提示プログラムにおいて、前記オノマトペデータ取得処理が取得するオノマトペデータは、前記計測結果あるいは前記計測結果に基づき算出された値を所定の閾値と比較することにより前記ユーザの動作の評価として得られるものであってもよい。
【００３０】
計測結果等を所定の閾値と比較することにより、リアルタイムでユーザの運動の評価結果を得ることができる。
【００３１】
（構成１１）
上記構成７ないし１０のいずれかのユーザ動作の評価結果に関するオノマトペ提示プログラムにおいて、前記計測結果は、前記ユーザによって操作された操作対象物の状態を計測した情報を含んでもよい。
【００３２】
ユーザが操作した対象物の状態に基づいて、ユーザの動作を評価することができる。
【００３３】
（構成１２）
上記構成７ないし１１のいずれかのユーザ動作の評価結果に関するオノマトペ提示プログラムは、さらに、前記計測装置によって計測されたユーザの動作に起因する事象についての計測結果に基づいて前記ユーザの動作の評価を行う評価処理、をコンピュータに実行させてもよい。
【００３４】
オノマトペ提示プログラムにおいて動作の評価を実行することができる。
【００３５】
なお、上記構成７ないし１１のいずれかのユーザ動作の評価結果に関するオノマトペ提示プログラムを記録したコンピュータ読み取り可能な記録媒体も、本発明の実施形態の１つである。
【００３６】
（構成１３）
本発明の実施の形態の１つであるユーザ動作の評価結果に関するオノマトペ提示方法は、計測結果入力工程、オノマトペデータ取得工程、および、オノマトペ出力工程を備える。
計測結果入力工程は、計測装置によって計測されたユーザの動作に起因する事象についての計測結果を入力する。
オノマトペデータ取得工程は、前記計測結果入力工程で入力された前記計測結果に基づいて行われた前記ユーザの動作の評価に対応したオノマトペを示すオノマトペデータを取得する。
オノマトペ出力工程は、前記オノマトペデータ取得工程で取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させる。
【００３７】
本実施の形態のユーザ動作の評価結果に関するオノマトペ提示方法は、動作を行うユーザが動作を継続している状態において、ユーザに対して動作の評価を提示することが可能である。ユーザは、評価内容をフィードバックさせながら、さらに動作を継続させることが可能である。
【００３８】
（構成１４）
上記構成１３のユーザ動作の評価結果に関するオノマトペ提示方法において、前記オノマトペデータ取得工程は、複数の評価項目に対して１つの評価を行うことによって得られた、前記複数の評価項目に対する１つのオノマトペを示すオノマトペデータを取得する工程であってもよい。
【００３９】
オノマトペを用いなければ、複数の評価項目に関する評価を文字などで説明する必要があり、ユーザはその内容を把握するのに時間を要する。あるいは、何らかの動作を継続しつつ、長い説明を読み理解することは困難である。この点、オノマトペであれば、複数の評価項目に関する評価を簡潔に表しているので、ユーザは、評価結果を把握し易い。
【００４０】
（構成１５）
上記構成１３または１４のユーザ動作の評価結果に関するオノマトペ提示方法において、前記オノマトペデータ取得工程は、１つの評価項目に関して多段階の評価を行うことによって得られた、前記１つの評価項目に関する評価を多段階で表したオノマトペを示すオノマトペデータを取得する工程であってもよい。
【００４１】
オノマトペを用いなければ、ある評価項目に関して多段階の評価内容を表現するためには、文字などを利用して説明する必要があり、ユーザはその内容を把握するのに時間を要する。あるいは、何らかの動作を継続しつつ、長い説明を読み理解することは困難である。この点、オノマトペであれば、ある評価項目に関して多段階の評価を簡潔に表すことができるので、ユーザは、評価結果を把握し易い。
【００４２】
（構成１６）
上記構成１３ないし１５のいずれかのユーザ動作の評価結果に関するオノマトペ提示方法において、前記オノマトペデータ取得工程が取得するオノマトペデータは、前記計測結果あるいは前記計測結果に基づき算出された値を所定の閾値と比較することにより前記ユーザの動作の評価として得られるものとしてもよい。
【００４３】
計測結果等を所定の閾値と比較することにより、リアルタイムでユーザの運動の評価結果を得ることができる。
【００４４】
（構成１７）
上記構成１３ないし１６のいずれかのユーザ動作の評価結果に関するオノマトペ提示方法において、前記計測結果は、前記ユーザによって操作された操作対象物の状態を計測した情報を含んでもよい。
【００４５】
ユーザが操作した対象物の状態に基づいて、ユーザの動作を評価することができる。
【００４６】
（構成１８）
上記構成１３ないし１７のいずれかのユーザ動作の評価結果に関するオノマトペ提示方法は、さらに、前記計測装置によって計測されたユーザの動作に起因する事象についての計測結果に基づいて前記ユーザの動作の評価を行う評価工程、を含んでもよい。
【００４７】
オノマトペ提示方法は動作の評価を実行することができる。
【００４８】
なお、オノマトペ出力部は、ユーザがユーザの動作をしている間に、報知装置に対してオノマトペを提示させるが、本発明のユーザ動作の評価結果に関するオノマトペ提示装置は、ユーザが動作しているか否かを検出する手段を必ずしも備える必要はない。ユーザがユーザの動作をしているか否かを検出する検出部を備えていても良いし、備えていなくてもよい。例えば、ユーザがある機器を操作することが“ユーザの動作”であれば、検出部として、機器に対する入力操作を検出するセンサや、機器の動きを検出するセンサを用いることができる。例えば、ユーザがある乗り物を操縦することが“ユーザの動作”であれば、検出部として、アクセル、ブレーキあるいはハンドルなどの操作量を検出するセンサを用いることができる。このように、ユーザの動作に起因する機器又は乗り物の状態の変化を示す物理量を検出するセンサを、検出部とすることができる。
【００４９】
なお、本発明のユーザ動作の評価結果に関するオノマトペ提示装置が、ユーザが動作をしているか否かを検出する検出部を備えている場合、オノマトペ出力部は、検出部がユーザの動作を検出している間にオノマトペを出力するよう制御すればよい。オノマトペ提示装置が検出部を備えていない場合、オノマトペ出力部は、計測情報の入力タイミングから、オノマトペの出力タイミングまでの時間が短くなるように、装置を構成すればよい。例えばＣＰＵとして高い処理能力を備えるものを使用することにより、ユーザが動作をしている間にオノマトペを出力することができる。
【００５０】
本発明のユーザ動作の評価結果に関するオノマトペ提示装置は、ユーザが動作をしている間にオノマトペをユーザに提示するので、ユーザにリアルタイムでオノマトペを把握させることができる。ここで、リアルタイムとは、ユーザがある動作をしているときに、その動作が終了するまでの間にオノマトペを提示できる程度のタイミングをいい、瞬間的なタイミングに限定されるものではない。
【００５１】
なお、オノマトペ出力部が、オノマトペを出力するタイミングはユーザが動作をしている間に限られるものではない。オノマトペ出力部は、ユーザが動作している間にオノマトペの出力を開始し、ユーザの動作終了後もオノマトペの出力を継続してもよい。つまり、ユーザの動作中および動作後の双方にまたがってオノマトペを出力してもよい。
【００５２】
なお、本発明のユーザ動作の評価結果に関するオノマトペ提示装置は、最小構成として、計測結果入力部、オノマトペデータ取得部、および、オノマトペ出力部を備えていればよい。オノマトペ提示装置は、さらに、評価部を備えていても良いし、評価部を外部の装置に設けてもよい。また、オノマトペ提示装置は、計測装置を備えていても良い。
【００５３】
なお、ユーザの動作に起因する事象とは、ユーザの身体の動き、ユーザの操作に基づく機器の動き、ユーザの操縦に基づく乗り物の挙動、などを含む。また、ユーザの動作に起因する事象には、ユーザのストレス、体温、心拍数などの生体情報も含む
【００５４】
なお、ユーザの動作の評価としては、様々な基準のもとで閾値との比較の結果が用いられる。基準としては、速さ、正確さ、滑らかさ、などを用いることができる。基準としては単一の基準でだけでなく、複数の基準を用いて、総合評価をすることができる。
【００５５】
また、本発明は、上記の実施の形態に加えて、技量向上促進装置としての実施の形態を有している。本実施の形態の技量向上促進装置は、トレーニングを行うユーザにトレーニング結果を提示する装置であって、トレーニングを実施したユーザの動作に起因する事象を計測する計測部と、計測部の計測結果に基づき、トレーニングを実施したユーザの動作の評価を行う評価部と、評価部により行われた評価に対応したオノマトペデータを取得するデータ取得部と、データ取得部が取得したオノマトペデータを出力することにより、トレーニングを行ったユーザに、動作の評価を提示する出力部とを備える。
【００５６】
トレーニングを行うユーザがトレーニングを継続している状態において、トレーニングの評価を提示することが可能である。ユーザは、評価内容をフィードバックさせながら、さらにトレーニングを継続させることが可能である。
【００５７】
また、本実施の形態の技量向上促進装置において、評価部は、複数の評価項目に対して１つの評価を行い、データ取得部は、複数の評価項目に対して１つのオノマトペデータを取得する。
【００５８】
また、本実施の形態の技量向上促進装置において、評価部は、１つの評価項目に関して多段階の評価を行い、データ取得部は、１つの評価項目に関する評価を多段階で表したオノマトペデータを取得する。
【図面の簡単な説明】
【００５９】
【図１】本実施の形態におけるオノマトペの定義を示す図である。
【図２】本実施の形態に係る自動二輪車と各種のセンサを示す図である。
【図３】本実施の形態に係るライディング評価装置を示すブロック図である。
【図４】ヘルメットに搭載されたスピーカおよびディスプレイを示す図である。
【図５】計測情報データベースに保存されているデータ例を示す図である。
【図６】オノマトペデータベースに保存されているデータ例を示す図である。
【図７】判定基準データベースに保存されているテーブル例を示す図である。
【図８】判定基準データベースに保存されているテーブル例を示す図である。
【図９】判定基準データベースに保存されているテーブル例を示す図である。
【図１０】判定基準データベースに保存されているテーブル例を示す図である。
【図１１】複数の評価項目に関連する評価内容に対して１つのオノマトペを対応付けた例を示す図である。
【図１２】ライディング評価装置の処理内容を示すフローチャートである。
【図１３】ライディング評価装置の処理内容を示すフローチャートである。
【図１４】ライディング評価装置の構成例を示す図である。
【図１５】ライディング評価装置の構成例を示す図である。
【発明を実施するための形態】
【００６０】
スポーツ、乗り物の操縦、機器の操作などは、人間の運動、動作によってもたらされる活動である。これらの活動をする上で、動作をした者は、自身の運動、動作の内容に関心を持っている。動作をした者は、自身の動作がどのような結果をもたらすかについて関心を持っている。動作をした者は、自身の運動、動作の結果に関する評価を得ることで、自身の活動内容を把握することができる。
【００６１】
上記のような運動、動作をする者は、動作に対する評価を確認し、動作の良し悪しを判断する。動作をする者は、動作の評価がよければ、自身の動作に問題がなかったことを確認できる。動作をする者は、動作の評価が悪ければ、動作の修正を行う。このように、運動、動作をする者にとって、動作の評価は関心のある情報である。
【００６２】
上記のように動作をする者にとって、動作の評価は関心のある情報であるが、同様にトレーニングをする者にとっても、動作の評価は関心のある情報である。トレーニングをする者は、まず、動作を行う。次に、動作に対する評価を確認し、動作の良し悪しを判断する。動作の評価がよければその動作を継続して練習し、動作の評価が悪ければ、動作の修正を行う。このように、トレーニングをする者は動作の評価を何らかの形で得る必要がある。
【００６３】
ゴルフのトレーニングであれば、スイングのたびに１回、１回、動作が終了する。このため、ゴルフのスイングであれば、動作の後にゆっくり評価を確認できる。例えば、カメラやビデオで撮影したスイングの画像をスイング後にゆっくり確認することができる。そして、スイングの画像を確認した後に、再度、スイングのトレーニングを開始すればよい。
【００６４】
これに対して長距離走のためのランニングのトレーニングであれば、動作が継続的に行われるため、ランニングを継続しながら、動作の評価を確認することは困難である。動作の評価を確認するたびに走る動作を停止していたのでは、ランニングのトレーニングの本来の目的が達成できない。
【００６５】
あるいは自動二輪車の操縦に関するトレーニングであれば、走行を継続しながらライディング技量の評価を確認することができれば便利である。加速やコーナーリングが終わった後に、いちいち自動二輪車を停車させてライディング技量の評価を確認するというのは非常に煩雑である。
【００６６】
また、自動二輪車のライダーに情報を提示する手段は、四輪車に比べると充実していないのが現状である。自動二輪車のライダーはヘルメットを装着するという事情もある。たとえ自動二輪車のハンドル付近にモニタを搭載したとしても、ライダーがヘルメットを被ったままモニタを参照するのは困難である。
【００６７】
自動二輪車のライダーは四輪車のドライバーに比べて、運転に関わる操作の種類が多く、また、操作を行う頻度が高い。さらには、自動二輪車のライダーは、同時に行われなければならない操作も多い。したがって、たとえ自動二輪車にモニタを搭載したとしても、映像によってライダーに情報を通知することは困難である。
【００６８】
ユーザが、時間的、作業的に余裕にある環境では、文章やデータを提示することでユーザにトレーニング結果を提示することができる。しかし、ユーザが、時間的、作業的に余裕のない環境で、同じ情報量を提示することは困難であった。本願発明者は、トレーニングに関わる動作を継続しながら、評価結果を確認することができる手段として、ユーザに対する情報の提供にオノマトペを利用することを思いついた。
【００６９】
オノマトペを情報の提供に利用すると次のような有利な点がある。第１には、複数の評価項目に関連する評価内容を１つのオノマトペで表現することができる。第２には、単一の評価項目に関する多段階の評価値をオノマトペで表現することができる。
本願発明者は、複数の評価項目から把握される動作状態、あるいは、単一の評価項目について多段階に評価される動作状態を利用者に提供するトレーニングシステムにオノマトペの利用が効果的であることを思いついた。そこで、オノマトペを利用したトレーニングシステムを利用することにより、利用者に短い言葉で簡潔に評価を与えることが可能となることを思いついた。
【００７０】
また、運動、動作をする者が、時間的、作業的に余裕にある環境では、文章やデータを提示することで動作をする者に動作結果を提示することができる。しかし、動作をする者が、時間的、作業的に余裕のない環境で、同じ情報量を提示することは困難であった。本願発明者は、各種の動作を継続しながら、評価結果を確認することができる手段として、動作をする者に対する情報の提供にオノマトペを利用することを思いついた。
【００７１】
本願発明者は、複数の評価項目から把握される動作状態、あるいは、単一の評価項目について多段階に評価される動作状態を動作をする者に提供するシステムにオノマトペの利用が効果的であることを思いついた。そこで、オノマトペを利用したシステムを利用することにより、動作をする者に短い言葉で簡潔に評価を与えることが可能となることを思いついた。
【００７２】
以下、本発明のユーザ動作の評価結果に関するオノマトペ提示装置の一つの実施の形態としてライディング評価装置を例に説明する。
【００７３】
以下の実施の形態における「計測情報入力部」は、本発明の「計測結果入力部」に対応している。実施の形態における「オノマトペ取得部」は、本発明の「オノマトペデータ取得部」に対応している。実施の形態における「出力部」は、本発明の「オノマトペ出力部」に対応している。実施の形態における「スピーカ」、「ディスプレイ」は、本発明の「報知装置」の一例である。
【００７４】
以下、本発明のユーザ動作の評価結果に関するオノマトペ提示装置の実施の形態について、自動二輪車に搭載されたライディング評価装置を例に説明する。
【００７５】
｛１．ライディング評価装置の概要｝
本実施の形態のライディング評価装置は、自動二輪車に搭載される。自動二輪車のライダーは、発進、加速、減速、あるいは旋回などを行うための動作を行い、自動二輪車を操縦する。ライディング評価装置は、ライダーによる各種の動作に対する評価を行い、評価内容に対応するオノマトペを取得する。自動二輪車は、ライディング評価装置によって取得されたオノマトペを、自動二輪車を操縦しているライダーの操縦に対するライディング評価としてライダーに提供する。ライダーは、自動二輪車を操縦し、走行を継続しながら、オノマトペで表現されたライダーの操縦に対するライディング評価に関する情報を取得する。
【００７６】
｛２．オノマトペ｝
本明細書で使用する言葉の定義について図１を用いて説明する。擬声語（あるいは擬音語）とは、動物の鳴き声や物体の音響を表現した語である。擬声語の例としては、「わんわん」（日本語音声では“ｗａｎ−ｗａｎ”、英語音声では“ｂｏｗ−ｗｏｗ”：犬の鳴き声を表す擬声語）、「ガチャン」（日本語音声では“ｇａｃｙａｎ”、英語音声では“ｃｌａｓｈ”：陶器などが割れる音を表す擬声語）、「ガタガタ」（日本語音声では“ｇａｔａ−ｇａｔａ”、英語音声では“ｂｏｎｋ”：机の脚の長さが均一でないときに机が揺れる音を表す擬声語）などがある。
【００７７】
擬態語とは、事物の状態や人の動作などの様子をそれらしい音声にたとえて表現した語である。擬態語の例としては、「つるつる」（日本語音声では“ｔｓｕｒｕ−ｔｓｕｒｕ”：表面が滑らかな状態を表す擬態語）、「ぷよぷよ」（日本語音声では“ｐｕｙｏ−ｐｕｙｏ”：やわらかい弾力性のある状態を表す擬態語）、「よちよち」（日本語音声では“ｙｏｃｈｉ−ｙｏｃｈｉ”：赤ちゃんが手足をついて少しずつ前へ進む状態を表す擬態語）などがある。
【００７８】
別の擬態語の例としては、「そろそろ」（日本語音声では“ｓｏｒｏ−ｓｏｒｏ”、英語音声では“ｓｌｏ−ｓｌｏ−ｓｌｏ”：速度、動作が遅い状態を表す擬態語）、「ビューン」（日本語音声では“ｖｉｅｗｎ”、英語音声では“ｚｏｏｏｏｏｍ”：速度、動作が早い状態を表す擬態語）、「キュイーン」（日本語音声では“ｃｕｅｅｅｎ”、英語音声では“ｚｏｏｏｏｏｏｏｏｍ”：素早く進む様子を表すとともに爽快感を表す擬態語）、「ふらふら」（日本語音声では“ｆｌａ−ｆｌａ”、英語音声では“ｄｉｚ−ｄｉｚ−ｄｉｚ”：揺れながら動く様子を表す擬態語）などがある。オノマトペとは、擬声語および擬態語を総称する語である。
【００７９】
日本語は特にオノマトペを頻繁に利用する言語であるが、英語においてもオノマトペは使用されている。たとえば、日本語の「だぶだぶ」（日本語音声では“ｄｏｕｂ−ｄｏｕｂ”：服などのサイズが大きすぎる様子を表す擬態語）に対しては、「ｂａｇｇｙ」、「ビーッ」（日本語音声では“ｂｅｅｅ！”：ブザーなどの鳴動音を表す擬声語）に対しては「ｂｅｅｐ」などのオノマトペが利用されている。また、跳んだり跳ねたりする様子を表すオノマトペとして「ｂｏｉｎｋ！！」、「ｂｏｉｎｇ！！」、「ｗｈｏｏｓｈ！！」などが用いられる。
【００８０】
｛３．自動二輪車の全体構成｝
本実施の形態に係る自動二輪車１の構成について図２を参照しながら説明する。本実施の形態においては、自動二輪車１は、図２に示すように、ネイキッドタイプの自動二輪車である。ただし、本実施の形態に係るライディング評価装置は、レーサータイプ、アメリカンタイプなどあらゆる種類の自動二輪車に適用可能である。あるいは、本実施の形態に係るライディング評価装置は、スクーターに適用することも可能である。
【００８１】
以下の説明において、自動二輪車１の左右、前後方向とは、自動二輪車１のシート８１に着座したライダーから見た左右、前後方向を言うものとする。図２において、矢視Ｆは、自動二輪車１の前方向を、矢視Ｒは、自動二輪車１の後方向を、矢視Ｕは、自動二輪車１の上方向を、矢視Ｄは、自動二輪車１の下方向を示す。
【００８２】
自動二輪車１は、車体フレーム６を備える。車体フレーム６は、ヘッドパイプ６１を備える。ヘッドパイプ６１は、車体の前部に配置されている。ヘッドパイプ６１には、ステアリングシャフト７０が左右方向に回転可能に挿入されている。ステアリングシャフト７０の上部には、ハンドル７１が固定されている。ハンドル７１は、ステアリングシャフト７０と一体的に左右方向に回転可能である。
【００８３】
ステアリングシャフト７０にはブラケットを介してフロントフォーク７２が固定されている。フロントフォーク７２の下端には、前輪７３が回転可能に取り付けられている。ライダーがハンドル７１を左右方向に操縦することにより、前輪７３が左右方向に回転可能である。フロントフォーク７２には、フロントサスペンション７４が設けられている。
【００８４】
車体の前後方向で中間よりやや後方部分にはシート８１が設けられている。シート８１は、車体フレーム６により支持されている。シート８１の前方には燃料タンク８２が設けられている。燃料タンク８２は、車体フレーム６により支持されている。
【００８５】
燃料タンク８２の下方にはエンジン８３が設けられている。エンジン８３は、車体フレーム６により支持されている。エンジン８３より後方において、リヤアーム７５が設けられている。リヤアーム７５は、車体フレーム６に設けられたピポット軸において、上下方向に揺動可能に支持されている。リヤアーム７５の後部には、後輪７６が回転可能に設けられている。後輪７６と車体フレーム６との間にはリヤサスペンション７７が設けられている。
【００８６】
エンジン８３の後方にはミッション装置８４が設けられている。ミッション装置８４は、車体フレーム６により支持されている。エンジン８３の出力はミッション装置８４、チェーンを介して後輪７６に伝達される。
【００８７】
｛４．自動二輪車に搭載されたセンサ｝
本実施の形態の自動二輪車１は、図２に示すように、多数のセンサ１０１〜１２０を搭載している。画像センサ１０１は、車体の前部に設けられている。画像センサ１０１は、車両の前方を撮像可能なセンサであり、たとえば、ＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  ＭＯＳ）イメージセンサなどを用いることができる。音声センサ１０２は、ハンドル７１の近傍に設けられ、周辺環境の音声あるいはライダーの音声を集音するマイクである。画像センサ１０１および音声センサ１０２は、別の場所に取り付けられてもよい。
【００８８】
クラッチ操作センサ１０３は、ハンドル７１の近傍に設けられ、ライダーによって操作されたクラッチレバー（図示省略）の変位量を計測する。クラッチ操作センサ１０３としては、ポテンショメータやリニアエンコーダなどを用いることができる。ステアリング角度センサ１０４は、ステアリングシャフト７０の近傍に設けられ、ステアリングシャフト７０の回転角度を計測する。ステアリング角度センサ１０４としては、たとえばポテンショメータを用いることができる。
【００８９】
フロントサスペンションストロークセンサ１０５は、フロントサスペンション７４の近傍に設けられ、フロントサスペンション７４のストローク量を計測する。フロントサスペンションストロークセンサ１０５としては、リニアエンコーダなどを用いることができる。前輪速度センサ１０６は、前輪７３の近傍に設けられ、前輪７３の回転速度を計測する。前輪速度センサ１０６としては、ロータリーエンコーダなどを用いることができる。前輪ブレーキ圧センサ１０７は、前輪７３に設けられたブレーキ（図示省略）の近傍に設けられ、前輪ブレーキのブレーキ圧を計測する。前輪ブレーキ圧センサ１０７としては、油圧センサなどが用いられる。
【００９０】
エンジン回転数センサ１０８は、エンジン８３内に設けられ、エンジン８３の回転数を計測する。エンジン回転数センサ１０８は、クランク軸（図示省略）などのエンジン８３内に設けられた軸の近傍に配置され、ロータリーエンコーダなどが用いられる。ギアポジションセンサ１０９は、ミッション装置８４内に設けられ、変速ギアの位置を検出する。ギアポジションセンサ１０９としては、リニアエンコーダなどが用いられる。スロットル開度センサ１１０は、エンジン８３に接続された吸気パイプの近傍に設けられる。スロットル開度センサ１１０としては、ポテンショメータなどが用いられる。
【００９１】
３軸加速度センサ１１１は、シート８１の下方に取り付けられ、車体の３軸方向（上下方向、前後方向、左右方向）の加速度を計測する。３軸加速度センサ１１１としては、ピエゾ抵抗型３軸加速度センサなどを用いることができる。３軸角速度センサ１１２は、シート８１の下方に取り付けられ、車体の３軸周り（上下方向周り、前後方向周り、左右方向周り）の角速度を計測する。３軸角速度センサ１１２としては、ジャイロセンサなどが用いられる。
【００９２】
方位センサ１１３は、シート８１の下方に取り付けられ、方位を計測する。方位センサ１１３としては、磁気センサなどを用いることができる。位置情報センサ１１４は、シート８１の下方に設けられ、自動二輪車１の位置情報を取得する。位置情報センサ１１４としては、ＧＰＳ（Ｇｒｏｂａｌ  Ｐｏｓｉｔｉｏｎｉｎｇ  Ｓｙｓｙｔｅｍ）受信装置を用いることができる。
【００９３】
リヤサスペンションストロークセンサ１１５は、リヤサスペンション７７の近傍に設けられ、リヤサスペンション７７のストローク量を計測する。リヤサスペンションストロークセンサ１１５としては、リニアエンコーダなどを用いることができる。後輪速度センサ１１６は、後輪７６の近傍に設けられ、後輪７６の回転速度を計測する。後輪速度センサ１１６としては、ロータリーエンコーダなどを用いることができる。後輪ブレーキ圧センサ１１７は、後輪７６に設けられたブレーキ（図示省略）の近傍に設けられ、後輪ブレーキのブレーキ圧を計測する。後輪ブレーキ圧センサ１１７としては、油圧センサなどが用いられる。
【００９４】
温度センサ１１８は、シート８１の下方に設けられ、外気温を計測する。ＦＭ受信部１１９は、ＦＭ（Ｆｒｅｑｕｅｎｃｙ  Ｍｏｄｕｌａｔｉｏｎ）多重放送を受信し、天気予報、交通情報などの文字情報を取得する。フロントライトスイッチセンサ１２０は、ハンドル７１の近傍に設けられ、フロントライトのＯＮ／ＯＦＦ切り替え操作を計測する。
【００９５】
｛５．ライディング評価装置の構成｝
次に、自動二輪車１に搭載されるライディング評価装置１０の構成について、図３を参照しながら説明する。本実施の形態のライディング評価装置１０は、計測部１００、ライディング評価モジュール１０Ｐ、および出力部５００を備えている。ライディング評価モジュール１０Ｐは、認識部２００、オノマトペ取得部３００およびオノマトペデータベース４５０を備えている。
【００９６】
計測部１００は、上述したセンサ１０１〜１２０を備えている。本実施の形態においては、計測部１００は、２０種類のセンサ１０１〜１２０を備えているが、これは一例であり、これらの一部のセンサを備える構成でもよい。あるいは、他のセンサをさらに備える構成であってもよい。例えば、赤外線センサやステレオカメラを備えていてもよい。あるいは、ライダーの生体情報を計測するセンサ（血流センサや発汗センサ）を備えていてもよい。計測部１００は、ライダーの動作に起因する事象を計測する。
【００９７】
認識部２００は、計測部１００において計測された情報をもとに、ライダーのライディング評価を行う処理部である。認識部２００は、計測情報入力部２０１、評価部２０２、計測情報データベース２５０および判定基準データベース２５１を備えている。
【００９８】
計測情報入力部２０１は、計測部１００において計測された情報を入力する。つまり、各種センサ１０１〜１２０が計測した情報を入力する。計測情報入力部２０１は、入力した計測情報を、計測情報データベース２５０に格納する。計測情報データベース２５０の内容については後で詳しく説明する。評価部２０２は、計測情報データベース２５０に格納された計測情報および判定基準データベース２５１に格納された判定基準テーブルに基づいて、ライダーのライディング評価を行う。評価部２０２は、ライダーのライディング評価を表すオノマトペを決定する。評価部２０２による評価方法の内容は後で詳しく説明する。
【００９９】
オノマトペ取得部３００は、オノマトペデータベース４５０にアクセスし、評価部２０２において決定されたオノマトペに対応するデータを取得する。オノマトペ取得部３００は、取得したオノマトペデータを、出力部５００に出力する。出力部５００は、オノマトペデータを出力し、ライディング評価をライダーに通知する。
【０１００】
出力部５００は、スピーカ５０１およびディスプレイ５０２を備えている。オノマトペデータとして音声データが利用される場合には、出力部５００としてスピーカ５０１が利用される。オノマトペデータとしてテキストデータあるいは画像データが利用される場合には、出力部５００としてディスプレイ５０２が利用される。テキストデータにおいて、オノマトペは文字情報として記録されており、画像データにおいては、オノマトペが画像情報として記録されている。
【０１０１】
本実施の形態の「ライディング評価モジュール１０Ｐ」は、本発明の「ユーザ動作の評価結果に関するオノマトペ提示装置」の機能を含んでいる。本発明の「ユーザ動作の評価結果に関するオノマトペ提示装置」が備える「計測結果入力部」は、「ライディング評価モジュール１０Ｐ」が備える「計測情報入力部２０１」に対応している。本発明の「ユーザ動作の評価結果に関するオノマトペ提示装置」が備える「オノマトペデータ取得部」は、「ライディング評価モジュール１０Ｐ」が備える「オノマトペ取得部３００」に対応している。本発明の「ユーザ動作の評価結果に関するオノマトペ提示装置」が備える「オノマトペ出力部」は、「ライディング評価モジュール１０Ｐ」が備える「オノマトペ取得部３００」に含まれている。本発明の「ユーザ動作の評価結果に関するオノマトペ提示装置」が備える「報知装置」は、「出力部５００」に対応している。
【０１０２】
本発明の「ユーザ動作の評価結果に関するオノマトペ提示装置」は、計測情報データベース２５０を含んでいてもよいし、計測情報データベース２５０を装置外部で保持してもよい。本発明の「ユーザ動作の評価結果に関するオノマトペ提示装置」は、評価部２０２を含んでいてもよいし、装置外部にある評価部を利用してもよい。例えば、評価部がネットワークを介して接続されたサーバに置かれていてもよい。本発明の「ユーザ動作の評価結果に関するオノマトペ提示装置」は、オノマトペデータベース４５０を含んでいてもよいし、オノマトペデータベース４５０を装置外部で保持してもよい。
【０１０３】
図４は、ライダーが自動二輪車１に乗車するときに装着するヘルメット８５を示す図である。ヘルメット８５には、左右のスピーカ５０１、５０１が設けられている。ライダーは、ヘルメット８５を装着して自動二輪車１を操縦している状態で、スピーカ５０１、５０１から出力されるオノマトペを音声で確認することが可能である。
【０１０４】
ヘルメット８５のシールドの一部は、ディスプレイ５０２として利用される。ヘルメット８５に設けられたＡＲ（Ａｕｇｍｅｎｔｅｄ  Ｒｅａｌｉｔｙ）投影機５０２１から出力された映像が、ディスプレイ５０２に表示される。ライダーは、ヘルメット８５を装着して自動二輪車１を操縦している状態で、ディスプレイ５０２に出力されるオノマトペを映像として確認することが可能である。
【０１０５】
本実施の形態においては、オノマトペを出力するスピーカを、ライダーが装着するヘルメットに設けたが、スピーカは別の場所に設けてもよい。たとえば、スピーカをフロントカウルやハンドル近傍に設けてもよい。
【０１０６】
本実施の形態においては、オノマトペを表示するディスプレイとして、ライダーが装着するヘルメットのシールドを利用したが、ディスプレイはこれに限られるものではない。ただし、ライダーがオノマトペを把握し易いようにするために、ライダーの視線の先に配置される透明あるいは半透明の部材にディスプレイを配置することが望ましい。
【０１０７】
図３に戻る。本実施の形態において、計測情報入力部２０１、評価部２０２、オノマトペ取得部３００は、ＣＰＵ（Ｃｅｎｔｒａｌ  Ｐｒｏｃｅｓｓｉｎｇ  Ｕｎｉｔ）、メモリおよびメモリをワークエリアとして利用しながらＣＰＵ上で動作するソフトウェアにより実現されている。また、本実施の形態においては、計測情報入力部２０１、評価部２０２、オノマトペ取得部３００を実現するＣＰＵ、ワークメモリ、ＲＯＭなどの部品と、計測情報データベース２５０、判定基準データベース２５１およびオノマトペデータベース４５０を格納するメモリなどの部品が、ライディング評価モジュール１０Ｐとして、１枚あるいは複数の基板上に配置されている。図２に示すように、本実施の形態においては、ライディング評価モジュール１０Ｐは、シート８１の下方に配置されている。
【０１０８】
あるいは、計測情報入力部２０１、評価部２０２、オノマトペ取得部３００の一部あるいは全部がハードウェアにより構成されていてもよい。この場合にも、計測情報入力部２０１、評価部２０２、オノマトペ取得部３００を実現するハードウェアなどの部品と、計測情報データベース２５０、判定基準データベース２５１およびオノマトペデータベース４５０を格納するメモリなどの部品が、ライディング評価モジュール１０Ｐとして、１枚あるいは複数の基板上に配置されている。
【０１０９】
｛６．計測情報データベース｝
図５を参照しながら計測情報データベース２５０について説明する。計測情報入力部２０１は、計測部１００から入力した計測情報、つまり、各種センサ１０１〜１２０より入力した計測情報を計測情報データベース２５０に格納する。計測情報データベース２５０に格納されるデータは、図５に示すように、時刻情報をキー情報としたレコードして記録されている。つまり、各時刻において取得された計測情報が、時刻情報と関連付けられて計測情報データベース２５０に格納されている。時刻情報は、ライディング評価モジュール１０Ｐに設けられたタイマー（図示省略）より取得される。
【０１１０】
緯度情報および経度情報は、位置情報センサ１１４によって取得された計測情報である。気温情報は、温度センサ１１８によって取得された計測情報である。天候情報は、ＦＭ受信部１１９によって受信された文字情報から取得される。スロットル開度情報は、スロットル開度センサ１１０によって取得された計測情報である。ブレーキ圧センサ情報は、前輪ブレーキ圧センサ１０７によって取得された計測情報である。ステアリング角度情報は、ステアリング角度センサ１０４によって取得された計測情報である。ライト情報は、フロントライトスイッチセンサ１２０によって取得された計測情報である。エンジン回転数情報は、エンジン回転数センサ１０８によって取得された計測情報である。図５においては、センサ１０１〜１２０のうち一部のセンサにより計測された情報を示しているが、各センサ１０１〜１２０において取得された計測情報が、時刻情報と関連付けられて計測情報データベース２５０に格納されている。図５において、計測情報としてＮａＮ（Ｎｏｔ  ａ  Ｎｕｍｂｅｒ）が入力されている箇所があるが、これは、センサから計測情報が取得できなかった場合を示している。
【０１１１】
｛７．オノマトペデータベース｝
図６を参照しながらオノマトペデータベース４５０について説明する。オノマトペデータベース４５０は、オノマトペを記録したテキストデータ、画像データあるいは音声データなどを格納している。テキストデータには、オノマトペを表す文字列が文字コードとして記録されている。画像データには、オノマトペを表す文字列が画像情報として記録されている。画像データのフォーマットとしては、ＪＰＥＧ（Ｊｏｉｎｔ  Ｐｈｏｔｏｇｒａｐｈｉｃ  Ｅｘｐｅｒｔｓ  Ｇｒｏｕｐ）、ＴＩＦＦ（Ｔａｇｇｅｄ  Ｉｍａｇｅ  Ｆｉｌｅ  Ｆｏｒｍａｔ）などが利用できるが、特に限定されるものではなく、各種のフォーマットが利用可能である。画像データとして、ＭＰＥＧなどの動画データを用いることもできる。音声データには、オノマトペを表す文字列が音声情報として記録されている。音声データのフォーマットとしては、ＭＰ３（ＭＰＥＧ−１  Ａｕｄｉｏ  Ｌａｙｅｒ−３）、ＡＡＣ（Ａｄｖａｎｃｅｄ  Ａｕｄｉｏ  Ｃｏｄｉｎｇ）などが利用できるが、特に限定されるものではなく、各種のフォーマットが利用可能である。
【０１１２】
たとえば、あるオノマトペについて、テキストデータあるいは画像データが保存されていれば、オノマトペ取得部３００は、ディスプレイ５０２に対してオノマトペを出力することができる。また、あるオノマトペについて、音声データが保存されていれば、オノマトペ取得部３００は、スピーカ５０１に対してオノマトペを出力することができる。
【０１１３】
図６で示した例であれば、「ぐーん」（日本語音声で“ｇｏｏｎｅ”という擬態語）というオノマトペに関しては、「ぐーん」という文字列が記録されたテキストデータ（ｇｏｏｎｅ．ｔｘｔ）がオノマトペデータベース４５０に格納されている。また、「ぐーん」という文字列を画像として記録した画像データ（ｇｏｏｎｅ．ｊｐｅｇ）、「ぐーん」という音声を記録した音声データ（ｇｏｏｎｅ．ｍｐ３）がオノマトペデータベース４５０に格納されている。
【０１１４】
｛８．ライディング評価方法｝
次に、ライディング評価の処理方法について説明する。上述したように、計測情報入力部２０１により、計測部１００において計測された計測情報が、計測情報データベース２５０に格納される。評価部２０２は、計測情報データベース２５０および判定基準データベース２５１を参照し、ライディング評価を行う。評価部２０２は、ライディング評価に対応するオノマトペを決定する。
【０１１５】
評価部２０２は、あるライディング評価項目については、計測情報データベース２５０に格納された単一の計測情報に基づいてライディング評価を行う。たとえば、評価部２０２は、スロットル開度センサ１１０により計測されたスロットル開度に関する情報に基づいて、ライダーの加速操作に関するライディング評価を行う。
【０１１６】
評価部２０２は、別のライディング評価項目については、計測情報データベース２５０に格納されている複数の計測情報に基づいてライダーの操縦に対するライディング評価を行う。たとえば、評価部２０２は、後輪速度センサ１１６により計測された車両速度に関する情報と、３軸角速度センサ１１２により計測された自動二輪車１の３軸周りの角速度に関する情報とに基づいて、ライダーの操縦に対するライディング評価を行う。車両速度に関する情報は、ライダーのライディング技量の中の安定性に関するライディング技量を示すライディング技量の安定性を評価するために利用できる情報である。３軸周りの角速度は、ライダーのライディング技量の中の旋回性に関するライディング技量を示すライディング技量の旋回性を評価するために利用できる情報である。評価部２０２は、ライダーの操縦に関するライディング技量の安定性とライダーの操縦に関するライディング技量の旋回性との２つのライディング評価項目に対して１つのライディング評価を行う。
【０１１７】
評価部２０２は、またある別のライディング評価項目については、計測情報データベース２５０に格納された単一の計測情報に基づいて算出された演算値（計測情報そのままの値ではなく、計測情報を加工した情報）によりライダーの操縦に対するライディング評価を行う。たとえば、評価部２０２は、前輪速度センサ１０６により計測された速度情報に基づいて算出された加速度情報に基づいて、ライダーの操縦に対するライディング技量評価を行う。
【０１１８】
評価部２０２は、またある別のライディング評価項目については、計測情報データベース２５０に格納された複数の計測情報に基づいて算出された演算値（計測情報そのままの値ではなく、計測情報を加工した情報）によりライダーの操縦に対するライディング評価を行う。たとえば、評価部２０２は、フロントサスペンションストロークセンサ１０５により計測されたフロントサスペンション７４のストローク量に基づいて算出された減衰力に関する情報と、前輪ブレーキ圧センサ１０７により計測された前輪ブレーキ圧に基づいて算出されたブレーキ制動力に関する情報に基づいてライダーの操縦に対するライディング評価を行う。減衰力に関する情報は、ライダーの操縦に関する快適性を評価するために利用できる情報である。ブレーキ制動力に関する情報は、制動技量を評価するために利用できる情報である。評価部２０２は、ライダーの操縦に関する快適性と制動技量との２つのライディング評価項目に対して１つのライディング評価を行う。
【０１１９】
図７は、評価部２０２が参照する、判定基準データベース２５１に格納された判定基準テーブルＴ１を示す図である。判定基準テーブルＴ１を参照することにより、評価部２０２は、あるライディング評価項目（ここではライディング評価項目Ａとする。）について単一の計測情報に基づいてライディング評価を行う。基準テーブルＴ１では、ある計測情報（計測値）ｓａについて、ｓａ＜３の条件を満たす場合、ライディング評価項目Ａについてのライディング評価を表すオノマトペＸ１が対応づけられている。基準テーブルＴ１では、ある計測情報（計測値）ｓａについて、ｓａ≧３の条件を満たす場合、ライディング評価項目Ａについてのライディング評価を表すオノマトペＸ２が対応づけられている。
【０１２０】
上述した例のように、評価部２０２は、スロットル開度に関する情報に基づいて、加速操作に関するライディング評価を行う。この場合であれば、ライディング評価項目Ａは、加速操作に関する評価項目、つまりライディング技量の安定性に関する評価項目である。オノマトペＸ１として、「すー」（日本語音声で“Ｓｕｅ”という擬態語：加速度が小さいことを示す）が対応付けられ、オノマトペＸ２として、「ぐーん」（日本語音声で“ｇｏｏｎｅ”という擬態語：加速度が大きいことを示す）が対応付けられる。このように、オノマトペＸ１およびオノマトペＸ２により、ライディング技量の安定性という１つのライディング評価項目について、多段階の評価を表現することができる。
【０１２１】
図８は、評価部２０２が参照する、判定基準データベース２５１に格納された判定基準テーブルＴ２を示す図である。判定基準テーブルＴ２を参照することにより、評価部２０２は、複数のライディング評価項目（ここではライディング評価項目Ｂおよびライディング評価項目Ｃとする。）について、複数の計測情報に基づくライディング評価を行う。基準テーブルＴ２では、ある計測情報（計測値）ｓｂおよび計測情報（計測値）ｓｃについて、ｓｂ＜２かつｓｃ≧１２の条件を満たす場合、２つのライディング評価項目（ライディング評価項目Ｂおよびライディング評価項目Ｃ）について１つのライディング評価を表すオノマトペＸ３が対応づけられている。基準テーブルＴ２では、ある計測情報（計測値）ｓｂおよび計測情報（計測値）ｓｃについて、ｓｂ＜２かつｓｃ＜１２の条件を満たす場合、２つのライディング評価項目（ライディング評価項目Ｂおよびライディング評価項目Ｃ）について１つのライディング評価を表すオノマトペＸ４が対応づけられている。基準テーブルＴ２では、ある計測情報（計測値）ｓｂおよび計測情報（計測値）ｓｃについて、ｓｂ≧２かつｓｃ≧１２の条件を満たす場合、同様に、２つのライディング評価項目についてのライディング評価を表すオノマトペＸ５が対応づけられている。基準テーブルＴ２では、ある計測情報（計測値）ｓｂおよび計測情報（計測値）ｓｃについて、ｓｂ≧２かつｓｃ＜１２の条件を満たす場合、同様に、２つのライディング評価項目についてのライディング評価を表すオノマトペＸ６が対応づけられている。
【０１２２】
上述した例のように、評価部２０２は、車両速度に関する情報と、３軸角速度センサ１１２により計測された自動二輪車１の３軸周りの角速度に関する情報とに基づいて、ライディング評価を行う。この場合であれば、ライディング評価項目Ｂは、ライディング技量の安定性に関する評価項目であり、車両速度に関する情報が利用される。ライディング評価項目Ｃは、ライディング技量の旋回性に関する評価項目であり、３軸周りの角速度が利用される。図１１に示すように、オノマトペＸ３として「ふらふら」（日本語音声では“ｆｌａ−ｆｌａ”：ライディング技量の安定性が低く、ライディング技量の旋回性も低いことを示す）が対応付けられる。オノマトペＸ４として「ドタドターン」（日本語音声では“ｄｏｔａ−ｄｏｔｕｒｎ”：ライディング技量の安定性が低く、ライディング技量の旋回性が高いことを示す）が対応付けられる。オノマトペＸ５として「そろー」（日本語音声では“ｓｏｒｏｗ”：ライディング技量の安定性が高く、ライディング技量の旋回性が低いことを示す）が対応付けられる。オノマトペＸ６として「キュイーン」（日本語音声では“ｃｕｅｅｅｎ”ライディング技量の安定性が高く、ライディング技量の旋回性も高いことを示す）が対応付けられる。このように、評価部２０２は、ライディング技量の安定性とライディング技量の旋回性との２つのライディング評価項目に対して１つのライディング評価を行い、１つのオノマトペを対応づける。
【０１２３】
図９は、評価部２０２が参照する、判定基準データベース２５１に格納された判定基準テーブルＴ３を示す図である。判定基準テーブルＴ３を参照することにより、評価部２０２は、あるライディング評価項目（ここではライディング評価項目Ｄとする。）について単一の計測情報に基づいて算出された演算値によりライディング評価を行う。基準テーブルＴ３では、ある計測情報ｓｄに基づいて算出された演算値ｆ（ｓｄ）について、ｆ（ｓｄ）＜８の条件を満たす場合、ライディング評価項目Ｄについてのライディング評価を表すオノマトペＸ７が対応づけられている。判定基準テーブルＴ３では、ある計測情報ｓｄに基づいて算出された演算値ｆ（ｓｄ）について、ｆ（ｓｄ）≧８の条件を満たす場合、ライディング評価項目Ｄについてのライディング評価を表すオノマトペＸ８が対応づけられている。
【０１２４】
図１０は、評価部２０２が参照する、判定基準データベース２５１に格納された判定基準テーブルＴ４を示す図である。判定基準テーブルＴ４を参照することにより、評価部２０２は、複数のライディング評価項目（ここではライディング評価項目Ｅ、ＦおよびＧとする。）について、複数の計測情報に基づいて算出された複数の演算値に基づいて１つのライディング評価を行う。判定基準テーブルＴ４では、ある計測情報（計測値）ｓｅ、計測情報（計測値）ｓｆおよび計測情報（計測値）ｓｇに基づいて算出された演算値ｆ（ｓｅ）、ｆ（ｓｆ）およびｆ（ｓｇ）について、ｆ（ｓｅ）＜５かつｆ（ｓｆ）＜３０かつｆ（ｓｇ）≧１５の条件を満たす場合、３つのライディング評価項目Ｅ、ＦおよびＧについての１つのライディング評価を表すオノマトペＸ９が対応づけられている。判定基準テーブルＴ４では、計測情報に基づいて算出された演算値ｆ（ｓｅ）、ｆ（ｓｆ）およびｆ（ｓｇ）について、ｆ（ｓｅ）＜５かつｆ（ｓｆ）＜３０かつｆ（ｓｇ）＜１５の条件を満たす場合、３つのライディング評価項目Ｅ、ＦおよびＧについての１つのライディング評価を表すオノマトペＸ１０が対応づけられている。判定基準テーブルＴ４では、計測情報に基づいて算出された演算値ｆ（ｓｅ）、ｆ（ｓｆ）およびｆ（ｓｇ）について、ｆ（ｓｅ）＜５かつｆ（ｓｆ）≧３０かつｆ（ｓｇ）≧１５の条件を満たす場合、３つのライディング評価項目Ｅ、ＦおよびＧについての１つのライディング評価を表すオノマトペＸ１１が対応づけられている。同様に、判定基準テーブルＴ４においては、演算値ｆ（ｓｅ）、ｆ（ｓｆ）およびｆ（ｓｇ）について、その他の値の範囲に対してもオノマトペが対応づけられている。
【０１２５】
以上説明したように、評価部２０２は、計測情報データベース２５０および判定基準データベース２５１を参照し、単一あるいは複数の計測情報、または、単一あるいは複数の計測情報に基づいて算出された演算値により、ライディング評価を行うとともに、ライディング評価の内容を表すオノマトペを特定する。
【０１２６】
｛９．ライディング評価装置の処理の流れ｝
次に、図１２〜図１３のフローチャートを参照しながら、本実施の形態に係るライディング評価装置の処理の流れについて説明する。
【０１２７】
図１２を参照する。ステップＳ１において、計測情報入力部２０１が、計測部１００から各種の計測情報を入力する。計測情報入力部２０１は、センサ１０１〜１２０が計測した計測情報を入力する。
【０１２８】
次に、ステップＳ２において、計測情報入力部２０１は、入力した計測情報を計測情報データベース２５０に格納する。ステップＳ１において、あるセンサについての計測情報が取得できなかった場合には、そのセンサの計測情報についてはＮａＮ（Ｎｏｔ  ａ  Ｎｕｍｂｅｒ）を入力する。
【０１２９】
次に、ステップＳ３において、評価部２０２は、ライディング技量の判定が可能か否かを判断する。ライディング技量判定の可否の判断は、１０秒間隔など所定の時間間隔で行われる。評価部２０２は、タイマ（図示省略）により時間を計測し、ライディング技量判定を行うタイミングが到来したか否かを判定する。ライディング技量の判定が可能であるとは、上述したライディング評価項目のうち、ライディング技量に関連する項目について計測情報が揃っており、ライディング技量判定を行う準備が出来ている状態を言う。
【０１３０】
ライディング技量判定が可能でない場合（ステップＳ３でＮＯ）、ステップＳ５に遷移する。ライディング技量判定が可能である場合（ステップＳ３でＹＥＳ）、ステップＳ４に遷移する。ステップＳ４において、評価部２０２は、ライディング技量に関わるライディング評価項目について、得点（計測情報あるいは計測情報に基づいて算出された演算値）を算出する。
【０１３１】
次に、ステップＳ５において、評価部２０２は、ライダーのライディングの安定性を示すライディング安定性の判定が可能か否かを判断する。ライディング安定性判定の可否の判断は、１０秒間隔など所定の時間間隔で行われる。ライディング安定性の判定が可能であるとは、上述したライディング評価項目のうち、ライディング安定性に関連する項目について計測情報が揃っており、ライディング安定性の判定を行う準備が出来ている状態を言う。
【０１３２】
ライディング安定性判定が可能でない場合（ステップＳ５でＮＯ）、ステップＳ７に遷移する。ライディング安定性判定が可能である場合（ステップＳ５でＹＥＳ）、ステップＳ６に遷移する。ステップＳ６において、評価部２０２は、ライディング安定性に関わるライディング評価項目について、得点（計測情報あるいは計測情報に基づいて算出された演算値）を算出する。
【０１３３】
次に、ステップＳ７において、評価部２０２は、快適性の判定が可能か否かを判断する。快適性判定の可否の判断は、１０秒間隔など所定の時間間隔で行われる。快適性の判定が可能であるとは、上述したライディング評価項目のうち、快適性に関連する項目について計測情報が揃っており、快適性の判定を行う準備が出来ている状態を言う。
【０１３４】
快適性判定が可能でない場合（ステップＳ７でＮＯ）、ステップＳ９に遷移する。快適性判定が可能である場合（ステップＳ７でＹＥＳ）、ステップＳ８に遷移する。ステップＳ８において、評価部２０２は、快適性に関わるライディング評価項目について、得点（計測情報あるいは計測情報に基づいて算出された演算値）を算出する。
【０１３５】
図１３を参照する。次に、ステップＳ９において、評価部２０２は、環境情報の判定が可能か否かを判断する。環境情報判定の可否の判断は、１０秒間隔など所定の時間間隔で行われる。環境の判定が可能であるとは、環境に関連する項目について計測情報が揃っており、環境判定を行う準備が出来ている状態を言う。環境に関連する項目は、外部環境を評価した項目であり、本実施の形態におけるライディング評価とは異なる観点の評価である。
【０１３６】
環境情報判定が可能でない場合（ステップＳ９でＮＯ）、ステップＳ１１に遷移する。環境情報判定が可能である場合（ステップＳ９でＹＥＳ）、ステップＳ１０に遷移する。ステップＳ１０において、評価部２０２は、環境に関わる評価を行い、得点（計測情報あるいは計測情報に基づいて算出された演算値）を算出する。
【０１３７】
次に、ステップＳ１１において、オノマトペ取得部３００は、オノマトペ決定タイミングが到来したか否かの判定を行う。オノマトペ取得部３００は、ステップＳ４、Ｓ６、Ｓ８およびＳ１０のいずれかにおいて得点（計測情報あるいは計測情報に基づいて算出された演算値）が算出されているとき、オノマトペ決定タイミングが到来したと判定する。つまり、ライディング技量判定、ライディング安定性判定、快適性判定および環境判定のいずれかについて、計測情報が揃っており、得点が算出されている場合、オノマトペの決定タイミングが到来したと判定する。
【０１３８】
オノマトペ決定タイミングが到来していない場合（ステップＳ１１でＮＯ）、ステップＳ１に戻り、計測情報の入力を引き続き実行する。計測情報データベース２５０には、時刻情報に関連付けられた計測情報が蓄積されていく。
【０１３９】
オノマトペ決定タイミングが到来している場合（ステップＳ１１でＹＥＳ）、評価部２０２は、ステップＳ４、Ｓ６、Ｓ８およびＳ１０において算出された得点（計測情報あるいは計測情報に基づいて算出された演算値）に基づいてオノマトペを決定する（ステップＳ１２）。たとえば、図７〜図１０を参照して説明したような処理を実行することにより、オノマトペを決定する。
【０１４０】
次に、オノマトペ取得部３００は、オノマトペデータベース４５０にアクセスし、ステップＳ１２において決定されたオノマトペを表すオノマトペデータを取得する（ステップＳ１３）。オノマトペ取得部３００は、取得したオノマトペデータを出力部５００に対して出力する（ステップＳ１４）。これにより、取得されたオノマトペが、たとえばスピーカ５０１から出力される。あるいは、取得されたオノマトペがディスプレイ５０２から出力される。
【０１４１】
本実施の形態においては、計測情報入力部２０１、評価部２０２、オノマトペ取得部３００を実現するＣＰＵ、ワークメモリ、ＲＯＭなどの部品と、計測情報データベース２５０、判定基準データベース２５１およびオノマトペデータベース４５０を格納するメモリなどの部品が、ライディング評価モジュール１０Ｐとして、１枚あるいは複数の基板上に配置されている場合を例に説明した。そして、図２に示すように、本実施の形態においては、ライディング評価モジュール１０Ｐは、シート８１の下方に配置されている。このように、本発明の「ユーザ動作の評価結果に関するオノマトペ提示装置」が車両の部品として自動二輪車１に搭載されている。
【０１４２】
これ以外の実施の形態として、例えば、本発明の「ユーザ動作の評価結果に関するオノマトペ提示装置」である「ライディング評価モジュール１０Ｐ」として、スマートフォンなどの携帯情報端末を利用してもよい。つまり、ライダーが所持しているスマートフォンを自動二輪車１に装着することで、「ライディング評価モジュール」として利用することができる。
【０１４３】
ライダーは、ネットワーク上のサーバから、「ライディング評価モジュール用ソフトウェア」をスマートフォンにダウンロードし、インストールすることで、スマートフォンを「ライディング評価モジュール」として利用することができる。このように、コンピュータを、ユーザ動作の評価結果に関するオノマトペ提示装置として動作させるためのプログラムも、本発明の実施形態に含まれる。また、そのようなプログラムを記録したコンピュータ読み取り可能な非一時的(non-transitory)な記録媒体も、本発明の実施形態に含まれる。
【０１４４】
上記実施の形態で説明したセンサ１０１〜１２０は、本発明で利用可能な「計測装置」である。本発明で利用可能な「計測装置」は、センサ１０１〜１２０のように、自動二輪車１に搭載されていてもよいし、自動二輪車１に搭載されていなくてもよい。例えば、「計測装置」は、スマートウォッチが搭載している各種センサを利用することができる。例えば、スマートウォッチが備える加速度センサ、画像センサ、生体情報センサ、ＧＰＳ受信装置、温度センサなどを利用することが可能である。このように、計測装置は、ライダー（ユーザ）の動作によって変化する物理量を検出するセンサとすることができる。
【０１４５】
図１４は、実施の形態の計測装置１００、ライディング評価モジュール１０Ｐおよび出力部５００の構成例を示す図である。図１４は、「計測装置」としてスマートウォッチ１０Ｗを用い、「ライディング評価モジュール」および「出力部」としてスマートフォン１０Ｆを用いた図である。ライダーは、スマートウォッチ１０Ｗを腕に装着することにより、スマートウォッチ１０Ｗを計測装置１００Ａとして利用する。ライダーは、「ライディング評価モジュール用ソフトウェア」をインストールしたスマートフォン１０Ｆを車両に装着することで、スマートフォン１０Ｆをライディング評価モジュール１０ＰＡとして利用する。また、ライダーはスマートフォン１０Ｆが備えるスピーカあるいはディスプレイを出力部５００Ａとして利用する。
【０１４６】
スマートフォン１０Ｆは、Ｂｌｕｅｔｏｏｔｈ等の通信手段を利用して、計測装置１００Ａとして機能するスマートウォッチ１０Ｗから各種計測情報を入力する。ライディング評価モジュール１０ＰＡとして機能するスマートフォン１０Ｆは、計測情報に基づいてオノマトペデータを取得する。スマートフォン１０Ｆは、取得したオノマトペを音声としてスマートフォン１０Ｆが備えるスピーカから出力する。あるいは、スマートフォン１０Ｆは、オノマトペを画像としてスマートフォン１０Ｆが備えるディスプレイに出力する。
【０１４７】
スマートウォッチ１０Ｗを「出力部」として利用してもよい。スマートフォン１０Ｆは取得したオノマトペデータをＢｌｕｅｔｏｏｔｈ等の通信手段を用いてスマートウォッチ１０Ｗに送信する。スマートウォッチ１０Ｗは、受信したオノマトペデータを音声としてスマートウォッチ１０Ｗが備えるスピーカから、あるいは、スマートウォッチ１０Ｗに接続されたヘッドフォン等から出力する。あるいは、スマートウォッチ１０Ｗは、オノマトペを画像としてスマートウォッチ１０Ｗが備えるディスプレイに出力する。また、スマートフォン１０Ｆは取得したオノマトペデータをＢｌｕｅｔｏｏｔｈ等の通信手段を利用して、ヘルメットに備えられたスピーカあるいはディスプレイを用いて出力するようにしてもよい。
【０１４８】
図１５は、実施の形態の計測装置１００、ライディング評価モジュール１０Ｐおよび出力部５００の構成例を示す図である。図１５は、「計測装置」としてスマートウォッチ１０Ｗを用い、「ライディング評価モジュール」の一部の機能、および「出力部」としてスマートフォン１０Ｆを用いた図である。また、図１５は、「評価部」としてネットワークを介して接続されたコンピュータサーバ１０Ｓを用いた図である。
【０１４９】
ライダーは、スマートウォッチ１０Ｗを腕に装着することにより、スマートウォッチ１０Ｗを計測装置１００Ｂとして利用する。ライダーは、「ライディング評価モジュール用ソフトウェア」をインストールしたスマートフォン１０Ｆを車両に装着することで、スマートフォン１０Ｆをライディング評価モジュール１０ＰＢとして利用する。ただし、ライディング評価モジュール１０ＰＢは「評価部」の機能を備えていない。ライダーはスマートフォン１０Ｆが備えるスピーカあるいはディスプレイを出力部５００Ｂとして利用する。また、ネットワークを介して接続されたコンピュータサーバ１０Ｓを評価部２０２Ｂとして利用する。
【０１５０】
スマートフォン１０Ｆは、Ｂｌｕｅｔｏｏｔｈ等の通信手段を利用して、計測装置１００Ｂとして機能するスマートウォッチ１０Ｗから各種計測情報を入力する。ライディング評価モジュール１０ＰＢとして機能するスマートフォン１０Ｆは、計測情報を入力すると、計測情報をコンピュータサーバ１０Ｓに送信する。評価部２０２Ｂとして機能するコンピュータサーバ１０Ｓは、計測情報を評価し、オノマトペデータを決定する。スマートフォン１０Ｆは、コンピュータサーバ１０Ｓからオノマトペデータの決定情報を受信する。スマートフォン１０Ｆは、オノマトペデータベースから決定情報に基づいてオノマトペデータを取得する。スマートフォン１０Ｆは、取得したオノマトペを音声としてスマートフォン１０Ｆが備えるスピーカから出力する。あるいは、スマートフォン１０Ｆは、オノマトペを画像としてスマートフォン１０Ｆが備えるディスプレイに出力する。
【０１５１】
また、本実施の形態の「出力部」として、自動二輪車１が備えるスピードメータを利用してもよい。スピードメータの一部に、ディスプレイを設け、オノマトペを表示するようにしてもよい。
【０１５２】
本実施の形態においては、ライディング評価モジュール１０Ｐがオノマトペデータベース４５０を備える場合を例に説明した。これにより、オノマトペ取得部３００は、リアルタイムでオノマトペデータを取得することができる。そして、出力部５００は、ライディング評価として、リアルタイムでオノマトペをライダーに提示することが可能である。
【０１５３】
別の実施の形態としては、自動二輪車１にオノマトペデータベースを保持せず、ネットワーク上のサーバにオノマトペデータベースを配置するようにしてもよい。この場合であれば、オノマトペ取得部３００は、ネットワーク経由で無線通信を利用してオノマトペデータを取得する。自動二輪車１にオノマトペデータベースを搭載する場合と比べると、オノマトペデータを提示するリアルタイム性は低下するものの、ライディング評価としてのオノマトペをライダーに提示可能である。昨今の高速データ通信を利用することにより、ライダーは自動二輪車１の走行トレーニングを継続しながら、ライディング評価としてのオノマトペの提示を受けることが可能である。
【０１５４】
また、別の実施の形態として、オノマトペ取得部３００が、ライディング評価に対応するオノマトペを自動生成するようにしてもよい。オノマトペとは人間が共通に持つ感覚に訴える言葉である。したがって、特定の語句に対して人間が受ける感覚などをデータベース化することが可能である。あるいは、既存のオノマトペが持つ意味合いをデータベース化することにより、これらを拡張、変形することでオノマトペを自動生成するアルゴリズムを構築することが可能である。オノマトペ取得部３００が、オノマトペの自動生成機能を持つことにより、ライディング評価に対するオノマトペをより適切に提示することが可能である。
【０１５５】
以上説明したように、本実施の形態のライディング評価装置１０は、オノマトペを利用してライダーにライディング評価を提示する。オノマトペは、その特徴として、複数のライディング評価項目に関する評価内容を１つのオノマトペで表現することができる。たとえば、判定基準テーブルＴ２および判定基準テーブルＴ４で示すように、複数のライディング評価項目に基づくライディング評価を１つのオノマトペで表現することができる。また、オノマトペは、その特徴として、単一のライディング評価項目に関する評価を多段階で表現することができる。これにより、自動二輪車１のライダーは、オノマトペの提供を受けることにより、ライディング評価に関する多くの情報を効率的に得ることができる。
【０１５６】
本実施の形態においては、本発明の「ユーザ動作の評価結果に関するオノマトペ提示装置」として、ライディング評価装置１０を例に説明した。本発明は、他にも各種のユーザの運動の評価を行う装置に適用可能である。例えば、長距離ランナーのトレーニングを評価する装置に適用可能である。
【０１５７】
長距離ランナーのトレーニングの評価を行う場合、次のようなオノマトペをランナーに提示することができる。例えば、ランナーの腕の振りを評価するオノマトペとして、「ぶんぶん」（日本語音声では“ｂｕｎ−ｂｕｎ”）、「さっさ」（日本語音声では“ｓａｔ−ｓａｔ”）、「たんたん」（日本語音声では“ｔａｎ−ｔａｎ”）、「ちょこまか」（日本語音声では“ｃｈｏｋｏ−ｍａｋａ”）を提示してもよい。例えば、ランナーの心拍数を評価するオノマトペとして、「ばくばく」（日本語音声では“ｂａｋｕ−ｂａｋｕ”）、「どくんどくん」（日本語音声では“ｄｏｋｕｎ−ｄｏｋｕｎ”）、「とくとく」（日本語音声では“ｔｏｋｕ−ｔｏｋｕ”）を提示してもよい。例えば、ランナーの呼吸を評価するオノマトペとして、「ぜいぜい」（日本語音声では“ｚｅｉ−ｚｅｉ”）、「はあはあ」（日本語音声では“ｈａａ−ｈａａ”）、「すーすー」（日本語音声では“ｓｕｕ−ｓｕｕ”）を提示してもよい。例えば、ランナーの走行速度を評価するオノマトペとして、「ぐんぐん」（日本語音声では“ｇｕｎｅ−ｇｕｎｅ”）、「びゅんびゅん」（日本語音声では“ｖｉｅｗｎ−ｖｉｅｗｎ”）、「すいすい」（日本語音声では“ｓｕｉ−ｓｕｉ”）、「のろのろ」（日本語音声では“ｎｏｒｏ−ｎｏｒｏ”）を提示してもよい。
【０１５８】
また、本発明は、上記の実施の形態に加えて、技量向上促進装置としての実施の形態を有している。本実施の形態の技量向上促進装置は、トレーニングを行うユーザにトレーニング結果を提示する技量向上促進装置であって、トレーニングを実施したユーザの動作に起因する事象を計測する計測部と、計測部の計測結果に基づき、トレーニングを実施したユーザの動作の評価を行う評価部と、評価部により行われた評価に対応したオノマトペデータを取得するデータ取得部と、データ取得部が取得したオノマトペデータを出力することにより、トレーニングを行ったユーザに、動作の評価を提示する出力部とを備える。
【０１５９】
トレーニング継続中だと人間の情報処理能力は限られているので、多くの情報を提供することが従来は困難であった。オノマトペを利用することで、簡素な言葉で、多くの情報を短い時間で伝えることができる。ユーザは短い言葉で簡潔に評価を得ることができるので、トレーニングを継続しながら評価結果を得ることができる。そして、評価結果を次の動作に反映させることで、自身の動作に修正を加えながらトレーニングを継続することができる。特に、トレーニングにおいては、即時フィードバックは学習効果が高いと言われている。本実施の形態の技量向上促進装置を利用することで、高い学習効果により効率的に技量を向上させることが可能である。
【０１６０】
トレーニングに限らず、何らかの運動、動作を継続している場合、人間の情報処理能力は限られているので、多くの情報を提供することが従来は困難であった。オノマトペを利用することで、簡素な言葉で、多くの情報を短い時間で伝えることができる。ユーザは短い言葉で簡潔に評価を得ることができるので、各種の運動、動作を継続しながら評価結果を得ることができる。ユーザは、自身の動作の内容、状態を把握することができる。また、自身の動作によってもたらされる機器、乗り物などの状態を把握することができる。
【０１６１】
また、本実施の形態の技量向上促進装置において、評価部は、複数の評価項目に対して１つの評価を行い、データ取得部は、複数の評価項目に対して１つのオノマトペデータを取得する。
【０１６２】
オノマトペを用いなければ、複数の評価項目に関する評価を文字などで説明する必要があり、ユーザはその内容を把握するのに時間を要する。あるいは、何らかの動作を継続しつつ、長い説明を読み理解することは困難である。この点、オノマトペであれば、複数の評価項目に関する評価を簡潔に表しているので、ユーザは、評価結果を把握し易い。
【０１６３】
また、本実施の形態の技量向上促進装置において、評価部は、１つの評価項目に関して多段階の評価を行い、データ取得部は、１つの評価項目に関する評価を多段階で表したオノマトペデータを取得する。
【０１６４】
オノマトペを用いなければ、ある評価項目に関して多段階の評価内容を表現するためには、文字などを利用して説明する必要があり、ユーザはその内容を把握するのに時間を要する。あるいは、何らかの動作を継続しつつ、長い説明を読み理解することは困難である。この点、オノマトペであれば、ある評価項目に関して多段階の評価を簡潔に表すことができるので、ユーザは、評価結果を把握し易い。
【０１６５】
また、本実施の形態の技量向上促進装置において、出力部は、オノマトペデータを文字情報として出力する画像表示部を含む。トレーニングの評価をユーザの視覚を通じて伝達することができる。
【０１６６】
また、本実施の形態の技量向上促進装置において、出力部は、オノマトペデータを音声情報として出力する音声出力部を含む。トレーニングの評価をユーザの聴覚を通じて伝達することができる。
【０１６７】
また、本実施の形態の技量向上促進装置において、評価部は、計測結果あるいは計測結果に基づき算出された値を所定の閾値と比較することによりユーザの動作の評価を行う。計測結果等を所定の閾値と比較することにより、リアルタイムでトレーニングの評価結果を得ることができる。
【０１６８】
また、本実施の形態の技量向上促進装置において、計測結果は、ユーザによって操作された操作対象物の状態を計測した情報を含む。ユーザが操作した対象物の状態に基づいて、ユーザの動作を評価することができる。
【０１６９】
また、本実施の形態の技量向上促進装置において、計測結果は、ユーザによって操作された操作対象物の状態を計測した情報を含み、操作対象物は車両を含み、ユーザは車両の運転者を含み、画像表示部は、運転者の視線の先に配置される透明あるいは半透明の部材上に設けられる。運転者は、視線の先に表示されるオノマトペを確認することができる。
【０１７０】
また、本実施の形態の技量向上促進装置において、画像表示部が設けられる部材は、運転者が装着するヘルメットのシールドを含む。運転者は、視線の先に位置するヘルメットのシールドに表示されるオノマトペを確認することができる。
【０１７１】
また、本実施の形態の技量向上促進装置において、計測結果は、ユーザによって操作された操作対象物の状態を計測した情報を含み、操作対象物は車両を含み、ユーザは車両の運転者を含み、音声出力部は車両に設けられたスピーカを含む。運転者は、スピーカから出力されるオノマトペにより情報を把握することができる。
【０１７２】
また、本実施の形態の技量向上促進装置において、計測結果は、ユーザによって操作された操作対象物の状態を計測した情報を含み、操作対象物は車両を含み、ユーザは車両の運転者を含み、音声出力部は運転者が装着するヘルメットに設けられたスピーカを含む。運転者は、ヘルメットを装着することで、スピーカから出力されるオノマトペにより情報を把握することができる。
【０１７３】
また、本実施の形態の技量向上促進装置において、出力部はデータ取得部が取得したオノマトペデータをリアルタイムで出力する。トレーニング結果をユーザに迅速に提示可能である。
【０１７４】
また、本実施の形態の技量向上促進装置において、さらに、オノマトペデータを蓄積する記憶部を備え、データ取得部は記憶部からオノマトペデータを取得する。トレーニング結果をユーザに迅速に提示可能である。
【０１７５】
また、本実施の形態の技量向上促進装置において、データ取得部は無線通信を利用して外部のサーバからオノマトペデータを取得する。共用のオノマトペデータを利用することが可能である。最新のオノマトペデータを共用することができる。
【０１７６】
また、本実施の形態の技量向上促進装置において、データ取得部は評価に応じたオノマトペデータを自動生成する。トレーニング結果をより詳細に描写したオノマトペを提示可能である。
【０１７７】
本発明の実施の形態の一つであるユーザ動作の評価結果に関するオノマトペ提示装置として、自動二輪車１に搭載されたライディング評価装置１０を例に説明した。つまり、ライダーが自動二輪車１を操縦する走行トレーニングに用いる場合を例に説明した。しかし、本発明は、各種のスポーツトレーニング、各種の装置を操作する作業トレーニングなど、広くトレーニングへの適用が可能である。
【０１７８】
本発明の実施の形態の一つであるユーザ動作の評価結果に関するオノマトペ提示装置は、利用者がトレーニングを継続している状態で、利用者にトレーニングの評価結果を提示できる。これにより、利用者は、評価結果をフィードバックさせて次の動作に反映させつつトレーニングを継続することが可能である。たとえば、長距離ランナーのトレーニングに本発明を適用させることにより、ランナーは、トレーニングを継続しながら、評価結果を得ることができる。そして、評価結果に応じてランニングフォームを調整しながらトレーニングを継続することができる。
【符号の説明】
【０１７９】
１      自動二輪車
１０    ライディング評価装置
１０Ｐ  ライディング評価モジュール
２５０  計測情報データベース
２５１  判定基準データベース
４５０  オノマトペデータベース
【図１】
2017099214.tif 000003
【図２】
2017099214.tif 000004
【図３】
2017099214.tif 000005
【図４】
2017099214.tif 000006
【図５】
2017099214.tif 000007
【図６】
2017099214.tif 000008
【図７】
2017099214.tif 000009
【図８】
2017099214.tif 000010
【図９】
2017099214.tif 000011
【図１０】
2017099214.tif 000012
【図１１】
2017099214.tif 000013
【図１２】
2017099214.tif 000014
【図１３】
2017099214.tif 000015
【図１４】
2017099214.tif 000016
【図１５】
2017099214.tif 000017
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
計測装置によって計測され、ユーザの操縦に基づく乗り物の挙動を含む前記ユーザの動作に起因する事象についての計測結果が入力される計測結果入力部と、
前記計測結果入力部に入力された前記計測結果のうち前記ユーザの操縦に基づく乗り物の挙動に起因する事象についての計測結果に基づいて行われた、前記ユーザの動作の評価に対応したオノマトペを示すオノマトペデータを取得するオノマトペデータ取得部と、
前記オノマトペデータ取得部が取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させるオノマトペ出力部と、
を備えるユーザ動作の評価結果に関するオノマトペ提示装置。
【請求項２】
請求項１に記載のユーザ動作の評価結果に関するオノマトペ提示装置であって、
前記オノマトペデータ取得部は、複数の評価項目に対して１つの評価を行うことによって得られた、前記複数の評価項目に対する１つのオノマトペを示すオノマトペデータを取得する、ユーザ動作の評価結果に関するオノマトペ提示装置。
【請求項３】
請求項１または請求項２に記載のユーザ動作の評価結果に関するオノマトペ提示装置であって、
前記オノマトペデータ取得部は、１つの評価項目に関して多段階の評価を行うことによって得られた、前記１つの評価項目に関する評価を多段階で表したオノマトペを示すオノマトペデータを取得する、ユーザ動作の評価結果に関するオノマトペ提示装置。
【請求項４】
請求項１ないし請求項３のいずれかに記載のユーザ動作の評価結果に関するオノマトペ提示装置であって、
前記オノマトペデータ取得部が取得するオノマトペデータは、前記計測結果あるいは前記計測結果に基づき算出された値を所定の閾値と比較することにより前記ユーザの動作の評価として得られる、ユーザ動作の評価結果に関するオノマトペ提示装置。
【請求項５】
請求項１ないし請求項４のいずれかに記載のユーザ動作の評価結果に関するオノマトペ提示装置であって、
前記計測結果は、前記ユーザによって操作された操作対象物の状態を計測した情報を含む、ユーザ動作の評価結果に関するオノマトペ提示装置。
【請求項６】
請求項１ないし請求項５のいずれかに記載のユーザ動作の評価結果に関するオノマトペ提示装置であって、さらに、
前記計測装置によって計測されたユーザの動作に起因する事象についての計測結果に基づいて前記ユーザの動作の評価を行う評価部、
を備えるユーザ動作の評価結果に関するオノマトペ提示装置。
【請求項７】
計測装置によって計測され、ユーザの操縦に基づく乗り物の挙動を含む前記ユーザの動作に起因する事象についての計測結果を入力する計測結果入力処理、
前記計測結果入力処理で入力された前記計測結果のうち前記ユーザの操縦に基づく乗り物の挙動に起因する事象についての計測結果に基づいて行われた前記ユーザの動作の評価に対応したオノマトペを示すオノマトペデータを取得するオノマトペデータ取得処理、および
前記オノマトペデータ取得処理で取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させるオノマトペ出力処理、
をコンピュータに実行させるユーザ動作の評価結果に関するオノマトペ提示プログラム。
【請求項８】
請求項７に記載のユーザ動作の評価結果に関するオノマトペ提示プログラムであって、
前記オノマトペデータ取得処理は、複数の評価項目に対して１つの評価を行うことによって得られた、前記複数の評価項目に対する１つのオノマトペを示すオノマトペデータを取得する、ユーザ動作の評価結果に関するオノマトペ提示プログラム。
【請求項９】
請求項７または請求項８に記載のユーザ動作の評価結果に関するオノマトペ提示プログラムであって、
前記オノマトペデータ取得処理は、１つの評価項目に関して多段階の評価を行うことによって得られた、前記１つの評価項目に関する評価を多段階で表したオノマトペを示すオノマトペデータを取得する、ユーザ動作の評価結果に関するオノマトペ提示プログラム。
【請求項１０】
請求項７ないし請求項９のいずれかに記載のユーザ動作の評価結果に関するオノマトペ提示プログラムであって、
前記オノマトペデータ取得処理が取得するオノマトペデータは、前記計測結果あるいは前記計測結果に基づき算出された値を所定の閾値と比較することにより前記ユーザの動作の評価として得られる、ユーザ動作の評価結果に関するオノマトペ提示プログラム。
【請求項１１】
請求項７ないし請求項１０のいずれかに記載のユーザ動作の評価結果に関するオノマトペ提示プログラムであって、
前記計測結果は、前記ユーザによって操作された操作対象物の状態を計測した情報を含む、ユーザ動作の評価結果に関するオノマトペ提示プログラム。
【請求項１２】
請求項７ないし請求項１１のいずれかに記載のユーザ動作の評価結果に関するオノマトペ提示プログラムであって、さらに、
前記計測装置によって計測されたユーザの動作に起因する事象についての計測結果に基づいて前記ユーザの動作の評価を行う評価処理、
をコンピュータに実行させるユーザ動作の評価結果に関するオノマトペ提示プログラム。
【請求項１３】
計測装置によって計測され、ユーザの操縦に基づく乗り物の挙動を含む前記ユーザの動作に起因する事象についての計測結果を入力する計測結果入力工程と、
前記計測結果入力工程で入力された前記計測結果のうち前記ユーザの操縦に基づく乗り物の挙動に起因する事象についての計測結果に基づいて行われた前記ユーザの動作の評価に対応したオノマトペを示すオノマトペデータを取得するオノマトペデータ取得工程と、
前記オノマトペデータ取得工程で取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させるオノマトペ出力工程と、
を備えるユーザ動作の評価結果に関するオノマトペ提示方法。
【請求項１４】
請求項１３に記載のユーザ動作の評価結果に関するオノマトペ提示方法であって、
前記オノマトペデータ取得工程は、複数の評価項目に対して１つの評価を行うことによって得られた、前記複数の評価項目に対する１つのオノマトペを示すオノマトペデータを取得する、ユーザ動作の評価結果に関するオノマトペ提示方法。
【請求項１５】
請求項１３または請求項１４に記載のユーザ動作の評価結果に関するオノマトペ提示方法であって、
前記オノマトペデータ取得工程は、１つの評価項目に関して多段階の評価を行うことによって得られた、前記１つの評価項目に関する評価を多段階で表したオノマトペを示すオノマトペデータを取得する、ユーザ動作の評価結果に関するオノマトペ提示方法。
【手続補正３】
【補正対象書類名】明細書
【補正対象項目名】００１１
【補正方法】変更
【補正の内容】
【００１１】
（構成１）
本発明の実施の形態の１つであるユーザ動作の評価結果に関するオノマトペ提示装置は、計測結果入力部、オノマトペデータ取得部、および、オノマトペ出力部を備える。
前記計測結果入力部には、計測装置によって計測され、ユーザの操縦に基づく乗り物の挙動を含む前記ユーザの動作に起因する事象についての計測結果が入力される。
前記オノマトペデータ取得部は、前記計測結果入力部に入力された前記計測結果のうち前記ユーザの操縦に基づく乗り物の挙動に起因する事象についての計測結果に基づいて行われた、前記ユーザの動作の評価に対応したオノマトペを示すオノマトペデータを取得する。
前記オノマトペ出力部は、前記オノマトペデータ取得部が取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させる。
【手続補正４】
【補正対象書類名】明細書
【補正対象項目名】００２３
【補正方法】変更
【補正の内容】
【００２３】
（構成７）
本発明の実施の形態の一つであるユーザ動作の評価結果に関するオノマトペ提示プログラムは、計測結果入力処理、オノマトペデータ取得処理、および、オノマトペ出力処理をコンピュータに実行させる。
計測結果入力処理は、計測装置によって計測され、ユーザの操縦に基づく乗り物の挙動を含む前記ユーザの動作に起因する事象についての計測結果を入力する。
オノマトペデータ取得処理は、前記計測結果入力処理で入力された前記計測結果のうち前記ユーザの操縦に基づく乗り物の挙動に起因する事象についての計測結果に基づいて行われた前記ユーザの動作の評価に対応したオノマトペを示すオノマトペデータを取得する。
オノマトペ出力処理は、前記オノマトペデータ取得処理で取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させる。
【手続補正５】
【補正対象書類名】明細書
【補正対象項目名】００３６
【補正方法】変更
【補正の内容】
【００３６】
（構成１３）
本発明の実施の形態の１つであるユーザ動作の評価結果に関するオノマトペ提示方法は、計測結果入力工程、オノマトペデータ取得工程、および、オノマトペ出力工程を備える。
計測結果入力工程は、計測装置によって計測され、ユーザの操縦に基づく乗り物の挙動を含む前記ユーザの動作に起因する事象についての計測結果を入力する。
オノマトペデータ取得工程は、前記計測結果入力工程で入力された前記計測結果のうち前記ユーザの操縦に基づく乗り物の挙動に起因する事象についての計測結果に基づいて行われた前記ユーザの動作の評価に対応したオノマトペを示すオノマトペデータを取得する。
オノマトペ出力工程は、前記オノマトペデータ取得工程で取得した前記オノマトペデータを、前記ユーザに音声または文字により報知可能な報知装置に出力して、前記報知装置に、前記ユーザの動作の評価に対応したオノマトペを前記ユーザが前記ユーザの動作をしている間に前記ユーザに音声または文字により提示させる。
【手続補正６】
【補正対象書類名】明細書
【補正対象項目名】００８５
【補正方法】変更
【補正の内容】
【００８５】
燃料タンク８２の下方にはエンジン８３が設けられている。エンジン８３は、車体フレーム６により支持されている。エンジン８３より後方において、リヤアーム７５が設けられている。リヤアーム７５は、車体フレーム６に設けられたピボット軸において、上下方向に揺動可能に支持されている。リヤアーム７５の後部には、後輪７６が回転可能に設けられている。後輪７６と車体フレーム６との間にはリヤサスペンション７７が設けられている。
【手続補正７】
【補正対象書類名】明細書
【補正対象項目名】００９８
【補正方法】変更
【補正の内容】
【００９８】
計測情報入力部２０１には、計測部１００において計測された情報が入力される。つまり、各種センサ１０１〜１２０が計測した情報が入力される。計測情報入力部２０１は、入力された計測情報を、計測情報データベース２５０に格納する。計測情報データベース２５０の内容については後で詳しく説明する。評価部２０２は、計測情報データベース２５０に格納された計測情報および判定基準データベース２５１に格納された判定基準テーブルに基づいて、ライダーのライディング評価を行う。評価部２０２は、ライダーのライディング評価を表すオノマトペを決定する。評価部２０２による評価方法の内容は後で詳しく説明する。
【手続補正８】
【補正対象書類名】明細書
【補正対象項目名】０１２７
【補正方法】変更
【補正の内容】
【０１２７】
図１２を参照する。ステップＳ１において、計測情報入力部２０１に、計測部１００から各種の計測情報が入力される。計測情報入力部２０１には、センサ１０１〜１２０が計測した計測情報が入力される。
【手続補正９】
【補正対象書類名】明細書
【補正対象項目名】０１３５
【補正方法】変更
【補正の内容】
【０１３５】
図１３を参照する。次に、ステップＳ９において、評価部２０２は、環境情報の判定が可能か否かを判断する。環境情報判定の可否の判断は、１０秒間隔など所定の時間間隔で行われる。環境情報の判定が可能であるとは、環境に関連する項目について計測情報が揃っており、環境判定を行う準備が出来ている状態を言う。環境に関連する項目は、外部環境を評価した項目であり、本実施の形態におけるライディング評価とは異なる観点の評価である。
【手続補正１０】
【補正対象書類名】明細書
【補正対象項目名】０１４５
【補正方法】変更
【補正の内容】
【０１４５】
図１４は、実施の形態の計測装置１００Ａ、ライディング評価モジュール１０Ｐおよび出力部５００の構成例を示す図である。図１４は、「計測装置」としてスマートウォッチ１０Ｗを用い、「ライディング評価モジュール」および「出力部」としてスマートフォン１０Ｆを用いた図である。ライダーは、スマートウォッチ１０Ｗを腕に装着することにより、スマートウォッチ１０Ｗを計測装置１００Ａとして利用する。ライダーは、「ライディング評価モジュール用ソフトウェア」をインストールしたスマートフォン１０Ｆを車両に装着することで、スマートフォン１０Ｆをライディング評価モジュール１０ＰＡとして利用する。また、ライダーはスマートフォン１０Ｆが備えるスピーカあるいはディスプレイを出力部５００Ａとして利用する。
【手続補正１１】
【補正対象書類名】明細書
【補正対象項目名】０１４８
【補正方法】変更
【補正の内容】
【０１４８】
図１５は、実施の形態の計測装置１００Ｂ、ライディング評価モジュール１０Ｐおよび出力部５００の構成例を示す図である。図１５は、「計測装置」としてスマートウォッチ１０Ｗを用い、「ライディング評価モジュール」の一部の機能、および「出力部」としてスマートフォン１０Ｆを用いた図である。また、図１５は、「評価部」としてネットワークを介して接続されたコンピュータサーバ１０Ｓを用いた図である。
【手続補正１２】
【補正対象書類名】図面
【補正対象項目名】図１２
【補正方法】変更
【補正の内容】
【図１２】
2017099214.tif 000018
【国際調査報告】
2017099214.tif 000019
2017099214.tif 000020
2017099214.tif 000021
2017099214.tif 000022